(57)【要約】  消費者に衛生の認識を提供できるフレグランスアコードが本明細書に提供される。フレグランスアコードは、シトラス系化合物、フローラル系化合物、ハーブ／アロマ系化合物、および硫黄含有化合物の１つ以上を含み得る。アコードは、フレグランス組成物および／または消費者製品中に取入れて衛生の認識を強化するのに適している。フレグランスアコードを用いて衛生の認識を刺激する方法も提供される。
2018524457.tif 000002
【特許請求の範囲】
【請求項１】
フレグランスアコードであって、シトラス系化合物、ハーブ／アロマ系化合物、フルーツ系化合物、硫黄含有化合物、およびそれらの組合せからなる群より選択される１つ以上の化合物を含む、該フレグランスアコード。
【請求項２】
前記化合物が、約３０重量％より多い量で存在するシトラス系化合物である、請求項１に記載のフレグランスアコード。
【請求項３】
前記化合物が、約５０重量％未満の量で存在するハーブ／アロマ系化合物である、請求項１に記載のフレグランスアコード。
【請求項４】
前記化合物が、約５重量％以下の量で存在するフルーツ系化合物である、請求項１に記載のフレグランスアコード。
【請求項５】
シトラス系化合物とハーブ／アロマ系化合物とを含むフレグランスアコードであって、これにおいて、前記シトラス系化合物および前記ハーブ／アロマ系化合物が、約７：１から約０．６５：１までの割合で存在する、請求項１に記載のフレグランスアコード。
【請求項６】
シトラス系化合物と硫黄含有化合物とを含む、請求項１に記載のフレグランスアコード。
【請求項７】
フルーツ系化合物と硫黄含有化合物とを含む、請求項１に記載のフレグランスアコード。
【請求項８】
前記化合物が、リモネンチオール、チオゲラニオール、ＲＩＮＧＯＮＯＬ（登録商標）、オキサン、ｐ−メンテン−８−チオール、およびそれらの組合せからなる群より選択される硫黄含有化合物である、請求項１および６〜７のいずれか１項に記載のフレグランスアコード。
【請求項９】
さらに、４−メチルチオ−４−メチル−２−ペンタノン、３メルカプト−ヘキサノール、メトキシメチルブタンチオール、ジブチルスルフィド、ジメチルスルフィド、チオシネオール、２−イソプロピル−４−メチルチアゾール、およびそれらの組合せからなる群より選択される、少なくとも１つの追加の硫黄含有化合物を含む、請求項８に記載のフレグランスアコード。
【請求項１０】
請求項１〜９のいずれか１項に記載の少なくとも１つのフレグランスアコードを含む、フレグランス組成物。
【請求項１１】
前記フレグランスアコードが、前記フレグランス組成物の約０．００１重量％から約１００重量％までの量で存在する、請求項１０に記載のフレグランス組成物。
【請求項１２】
前記フレグランスアコードが、前記フレグランス組成物の約２０重量％から約２５重量％までの量で存在する、請求項１０〜１１のいずれか１項に記載のフレグランス組成物。
【請求項１３】
前記フレグランス組成物の約０．００５重量％から約０．１重量％までの量で存在する１つ以上の硫黄含有化合物を含む、請求項１０〜１２のいずれか１項に記載のフレグランス組成物。
【請求項１４】
前記１つ以上の硫黄含有化合物が、前記フレグランス組成物の約０．０００００５重量％から約０．０００２５重量％までの量のリモネンチオール、前記フレグランス組成物の約０．００００２重量％から約０．００１重量％までの量のチオゲラニオール、前記フレグランス組成物の約０．０００５重量％から約０．０２５重量％までの量のＲＩＮＧＯＮＯＬ（登録商標）、前記フレグランス組成物の約０．００１重量％から約０．０５重量％までの量のオキサン、および前記フレグランス組成物の約０．０００５重量％から約０．０２５重量％までの量のｐ−メンテン−８−チオールのうち少なくとも１つを含む、請求項１３に記載のフレグランス組成物。
【請求項１５】
請求項１〜９のいずれか１項に記載のフレグランスアコードおよび／または、請求項１０〜１４のいずれか１項に記載のフレグランス組成物を含む、消費者製品。
【請求項１６】
消費者において衛生の認識を刺激する方法であって、請求項１〜９のいずれか１項に記載のフレグランスアコードおよび／または請求項１０〜１４のいずれか１項に記載のフレグランス組成物を、衛生の認識を刺激するための有効量で患者に投与することを含む、該方法。
【請求項１７】
消費者において衛生の認識を刺激し得る消費者製品を作製する方法であって：
ａ．少なくとも１つの消費者製品基剤を提供すること；および
ｂ．前記消費者製品基剤を請求項１〜９のいずれか１項に記載のフレグランスアコードおよび／または請求項１０〜１４のいずれか１項に記載のフレグランス組成物と組合せることを含む、該方法。
【発明の詳細な説明】
【技術分野】
【０００１】
関連出願の相互参照
本出願は、２０１５年７月２０日に出願された米国仮出願第６２／１９４，７９０号の優先権を主張するものであり、その記載全体を参照により本明細書に包含する。
【０００２】
本開示は、消費者の衛生の認識を誘発する１つ以上のアコードを含む、特定のフレグランス組成物に関する。該組成物は、消費者の衛生および／または衛生状態の認識を刺激するべく消費者製品に取り入れられる。
【背景技術】
【０００３】
フレグランスは、処置されるべき対象にフレグランスを提供すること、ならびに使用中または適用中に消費者にフレグランスを提供することの双方のために、消費者製品に取り入れることができる。例えば、フレグランス化合物を含有するクリーニングワイプは、清浄化されている表面上にフレグランスを被着すること、およびまた表面を清浄化する動作中に使用者により吸入されるフレグランスを放出することの双方が可能である。
【０００４】
フレグランスは、消費者において、消費者製品の品質および有効性について特定の認識を引き起こし得ることが知られている。研究により、クリーニング製品の効力についての消費者の認識が、心地よい香気を含めることで調整され得ることが示されている。クリーナー、脱臭剤、石鹸、サニタイザー、およびエアフレッシュナーなどの消費者製品では、消費者にクリーニング効力の認識だけでなく、無菌、衛生、または望ましくない生物学的微生物がないという認識も提供することが望ましい。しかしながら、衛生の認識を駆り立てることが知られている成分は、かなり特殊であり、しばしば強烈なものとして認識され、多種多様な複雑で心地よい香気を生成する能力を制限する。例には、レモン油、クローブ、ユ−カリ、および塩素系漂白剤が包含され、それらの大部分は実際に固有の殺菌特性を有する。それ故、実際に消費者の衛生の認識を刺激するとともに、充分に複雑で心地よく残り、かつ特定の消毒成分を過度に暗示させないフレグランスおよびアコードを同定して、多種多様な心地よい香気を与える製品を作製する能力を制限しないようにする必要が依然として残されている。本開示は、この必要性について以下にさらに詳細に取り上げる。
【発明の概要】
【課題を解決するための手段】
【０００５】
本開示は、消費者の衛生の認識を誘発する１つ以上のアコードを含む、フレグランス組成物に関する。ある実施形態においては、フレグランス組成物は、消費者製品中に取り入れられて、消費者製品が使用される場所で消費者の衛生の認識を刺激または誘発する。
【０００６】
ある実施形態では、本開示は、シトラス系化合物、およびハーブ／アロマ系化合物、フルーツ系化合物、硫黄含有化合物、およびそれらの組合せからなる群より選択される１つ以上の化合物を含む、フレグランスアコードを提供する。
【０００７】
例えば、シトラス系化合物は、３０重量％より多い量で存在し得る。これに代えて、または追加的に、ハーブ／アロマ系化合物が５０重量％未満の量で存在し得る。これに代えて、または追加的に、フルーツ系化合物が５重量％未満の量で存在し得る。
【０００８】
シトラス系化合物、およびハーブ／アロマ系化合物の双方が存在する場合、シトラス系化合物およびハーブ／アロマ系化合物との間の割合は、約７：１から約０．６５：１まででよい。アコードは、シトラス系化合物および硫黄系化合物の双方を含み得る。これに代えて、または追加的に、アコードはフルーツ系化合物および硫黄含有化合物の双方を含み得る。
【０００９】
ある実施形態では、化合物は、リモネンチオール、チオゲラニオール、ＲＩＮＧＯＮＯＬ（登録商標）、オキサン、ｐ−メンテン−８−チオール、およびそれらの組合せからなる群より選択される硫黄含有化合物である。フレグランスアコードはさらに、４−メチルチオ−４−メチル−２−ペンタノン、３メルカプト−ヘキサノール、メトキシメチルブタンチオール、ジブチルスルフィド、ジメチルスルフィド、チオシネオール、２−イソプロピル−４−メチルチアゾール、およびそれらの組合せからなる群より選択される、少なくとも１つの追加の硫黄含有化合物を含んでもよい。
【００１０】
本開示はさらに、本明細書に開示されたような少なくとも１つのフレグランスアコードを含むフレグランス組成物を提供する。ある実施形態では、フレグランスアコードは、フレグランス組成物の約０．００１重量％から約１００重量％までの量で存在し得る。特定の実施形態においては、フレグランスアコードは、フレグランス組成物の約２０重量％から約２５重量％までの量で存在し得る。フレグランス組成物は、１つ以上の硫黄含有化合物を、フレグランス組成物の約０．００５重量％から約０．１重量％までの量で含んでもよい。例えば、１つ以上の硫黄含有化合物は、フレグランス組成物の約０．０００００５重量％から約０．０００２５重量％までの量のリモネンチオール、フレグランス組成物の約０．００００２重量％から約０．００１重量％までの量のチオゲラニオール、フレグランス組成物の約０．０００５重量％から約０．０２５重量％までの量のＲＩＮＧＯＮＯＬ（登録商標）、フレグランス組成物の約０．００１重量％から約０．０５重量％までの量のオキサン、およびフレグランス組成物の約０．０００５重量％から約０．０２５重量％までの量のｐ−メンテン−８−チオールの少なくとも１つでよい。
【００１１】
ある実施形態では、フレグランスアコードおよび／またはフレグランス組成物は、消費者製品基剤または消費者製品中に取り入れられ得る。
【００１２】
本開示はさらに、消費者において衛生の認識を刺激する方法も提供する。ある実施形態では、消費者において衛生の認識を刺激する方法は、フレグランスアコードおよび／またはフレグランス組成物を、衛生の認識を刺激するための有効量で投与することを含み得る。
【００１３】
本開示はさらに、消費者において衛生の認識を刺激し得る消費者製品を作製する方法も提供する。消費者の衛生の認識を刺激し得る消費者製品を作製する方法は、少なくとも１つの消費者製品基剤を提供すること、および消費者製品基剤をフレグランスアコードおよび／またはフレグランス組成物と組合せることを含み得る。
【図面の簡単な説明】
【００１４】
【図１】実施例４の異なる香りの存在下で台所のイメージに基づき認識されるような、認識された除菌についての平均属性スコアを示す図である。
【図２】実施例４の異なる香りの存在下で台所のイメージに基づき認識されるような、認識された殺菌についての平均属性スコアを示す図である。
【図３】実施例４の異なる香りの存在下で台所のイメージに基づき認識されるような、認識された清潔さについての平均属性スコアを示す図である。
【図４】実施例４の異なる香りの快楽性についての平均直接香り評価スコアを示す図である。
【図５】実施例４の異なる香りの強烈さについての平均直接香り評価スコアを示す図である。
【図６】実施例４の異なる香りの清潔さについての平均直接香り評価スコアを示す図である。
【図７Ａ】実施例５の香り物質の存在下で台所のイメージに基づき認識されるような、異なる属性についてのスコアリングを示す図である。図７Ａは、認識された衛生属性のスコアリングを示す。
【図７Ｂ】図７Ｂは、認識された清潔属性のスコアリングを示す。
【図７Ｃ】図７Ｃは、認識された誇らしい属性のスコアリングを示す。
【図８Ａ】実施例６の香り物質の存在下で台所のイメージに基づき認識されるような、異なる属性についてのスコアリングを示す図である。図８Ａは、認識された衛生のスコアを示す。
【図８Ｂ】図８Ｂは、認識された清潔さのスコアを示す。
【図８Ｃ】図８Ｃは、認識された誇らしさのスコアを示す。
【図８Ｄ】実施例６の香り物質の直接評価のためのスコアリングを示す図である。図８Ｄは、快楽スコアの直接香り評価を示す。
【図８Ｅ】図８Ｅは、衛生スコアの直接香り評価を示す。
【図８Ｆ】図８Ｆは、強烈さスコアの直接香り評価を示す。
【図９Ａ】実施例７の香り物質の存在下で台所のイメージに基づき認識されるような、異なる属性についてのスコアリングを示す図である。図９Ａは、認識された除菌スコアを示す。
【図９Ｂ】図９Ｂは、認識された殺菌スコアを示す。
【図９Ｃ】図９Ｃは、認識された清潔さスコアを示す。
【図９Ｄ】実施例７の香り物質の直接評価のためのスコアリングを示す図である。図９Ｄは、快楽スコアの直接香り評価を示す。
【図９Ｅ】図９Ｅは、清潔さスコアの直接香り評価を示す。
【図９Ｆ】図９Ｆは、強烈さスコアの直接香り評価を示す。
【図１０】実施例８により記載されたような、参加者の過去６か月にわたるクレンジングブランド使用履歴を示す図である。
【図１１】実施例８により記載されたような香り１−３のそれぞれの存在下での台所のイメージに基づき認識されるような、認識された「除菌」属性の平均評価スコアを示す図である。
【図１２】実施例８により記載されたような香り１−３のそれぞれの存在下での台所のイメージに基づき認識されるような、認識された「殺菌」属性の平均評価スコアを示す図である。
【図１３】実施例８により記載されたような香り１−３のそれぞれの存在下での台所のイメージに基づき認識されるような、認識された「清潔」属性の平均評価スコアを示す図である。
【図１４】実施例８により記載されたような香り１−３のそれぞれについての「快楽性」の印象の平均直接香り評価スコアを示す図である。
【図１５】実施例８により記載されたような香り１−３のそれぞれについての「清潔さ」の印象の平均直接香り評価スコアを示す図である。
【図１６】実施例８により記載されたような香り１−３のそれぞれについての「強烈さ」の印象の平均直接香り評価スコアを示す図である。
【図１７】参加者が申告した様々な市販のディッシュクリーニングの香気タイプの使用履歴によってさらに分けられた、実施例８により記載された香り１−３のそれぞれの存在下での台所のイメージに基づき認識されるような、「殺菌」属性の平均評価スコアを示す図である。
【図１８】実施例８により記載されたような香り１−３のそれぞれを用いて試験した、台所イメージの各々について認識された「殺菌」属性の平均評価スコアを示す図である。
【図１９】実施例９により記載されたような、直接匂いを嗅ぐことに基づく、参加者の香りの全体的な評価を示す図である。
【図２０】実施例９により記載されたような、様々なディッシュクリーナーブランドの、参加者の使用履歴によって分類された、参加者の香りの全体的な評価を示す図である。
【図２１】実施例９により記載されたような、指定された香り物質を嗅ぐことによる、参加者の衛生関連属性「殺菌」および「除菌」の認識を示す図である。
【図２２】参加者により歴史的に使用されたフレグランスクリーナーブランドのタイプによって分類された、実施例９により記載された香りを直接嗅ぐことに基づく、参加者の衛生属性「殺菌」の認識を示す図である。
【図２３】参加者により歴史的に使用されたフレグランスクリーナーブランドのタイプによって分類された、実施例９により記載された香りを直接嗅ぐことに基づく、参加者の衛生属性「除菌」の認識を示す図である。
【図２４】実施例９により記載された香りについての、参加者の製品適性の認識を示す図である。
【図２５】実施例９により記載された香りについての、参加者の製品の強烈さ（ｉｎｔｅｎｓｉｔｙ）／強さ（ｓｔｒｅｎｇｔｈ）の認識を示す図である。
【図２６】実施例１０により記載されたような、非レモン使用者の属性「除菌」の認識を示す図である。
【図２７】実施例１０により記載されたような、非レモン使用者の衛生属性「殺菌」の認識を示す図である。
【図２８】実施例１０により記載されたような、非レモン使用者の衛生属性「清潔」の認識を示す図である。
【図２９】実施例１０により記載されたような、レモン使用者の衛生属性「除菌」の認識を示す図である。
【図３０】実施例１０により記載されたような、レモン使用者の衛生属性「殺菌」の認識を示す図である。
【図３１】実施例１０により記載されたような、レモン使用者の衛生属性「清潔」の認識を示す図である。
【図３２】実施例１０により記載されたような、非レモン使用者の「清潔さ」の平均直接香り評価スコアを示す図である。
【図３３】実施例１０により記載されたような、非レモン使用者の「快楽性」の平均直接香り評価スコアを示す図である。
【図３４】実施例１０により記載されたような、レモン使用者の「清潔さ」の平均直接香り評価を示す図である。
【図３５】実施例１０により記載されたような、レモン使用者の「快楽性」の平均直接香り評価スコアを示す図である。
【発明を実施するための形態】
【００１５】
上記に開示されたように、当該技術分野では、フレグランス組成物中および消費者製品中に使用して消費者の衛生の認識を刺激することができるアコードを同定する必要がある。本明細書に開示された主題は、少なくとも１つのフレグランスアコードを含むフレグランス組成物によって、この必要に対処する。具体的には、本明細書に開示された主題は、独特のフレグランス配合パラメータのセットにより、強く感知される衛生の認識を消費者において、意識的に及び無意識的に、誘発する手段であって、そのことがまた次に、何らの特定の歴史的消毒剤分と直接結びつかない広範囲の心地よく複雑なフレグランス体験ももたらす、該手段を提供する。
【００１６】
１．定義
本明細書で使用された用語は、一般に、本開示の文脈内において、および各用語が使用される特定の文脈において、当該技術分野における通常の意味を有する。いくつかの用語は、本開示の組成物および方法、およびいかにしてそれらを作製および使用するかを記載する上でさらなるガイダンスを実施者に提供するべく、下文において、または本明細書の他の場所において議論される。
【００１７】
本明細書で用いるとき、単語「ａ」または「ａｎ」の使用は、特許請求の範囲および／または明細書において用語「含む（ｃｏｍｐｒｉｓｉｎｇ）」と組合せて使用される場合、「１つ」を意味し得るが、それはまた「１つ以上」、「少なくとも１つ」、および「１つまたは１つより多い」という意味とも一致する。さらになお、用語「有する（ｈａｖｉｎｇ）」、「包含する（ｉｎｃｌｕｄｉｎｇ）」、「含有する（ｃｏｎｔａｉｎｉｎｇ）」、および「含む（ｃｏｍｐｒｉｓｉｎｇ）」は、互換性があり、当業者は、これらの用語が開放型用語であることを認識している。
【００１８】
用語「約（ａｂｏｕｔ）」または「およそ（ａｐｐｒｏｘｉｍａｔｅｌｙ）」は、当業者により決定される特定の値の許容可能な誤差範囲内を意味し、それは、一部は、いかにしてその値が測定または決定されるか、すなわち測定システムの限界に依存するものとする。例えば、「約」は、当該技術分野における実施につき、３以内または３より多い標準偏差を意味し得る。あるいはまた、「約」は、所与の値の２０％まで、好ましくは１０％まで、より好ましくは５％まで、およびより好ましくはなお１％までの範囲を意味し得る。あるいはまた、該用語は、特に生物学的システムまたはプロセスに関しては、ある値の１桁分以内、好ましくは５倍以内、およびより好ましくは２倍以内を意味し得る。
【００１９】
本明細書で用いるとき、用語「フレグランス」は、ある材料、例えば、アコードを含有し得るフレグランス組成物を意味するものと理解される。「フレグランス」が、個々の材料の混合物、例えば、複数のアコードまたは完全に配合されたフレグランスであり得ることもまた理解される。
【００２０】
本明細書で用いるとき、用語「アコード」または「フレグランスアコード」は、必要に応じ適切な有効量で用いたとき、特定の匂い（ｓｍｅｌｌ）、香り（ｏｄｏｒ）、または香気（ｓｃｅｎｔ）を生じ、かつ特定の認識、感覚、および／または生理学的効果を引き起こす、１つ以上の異なる化合物を含有する配合を指す。
【００２１】
本明細書で用いるとき、用語「衛生」は、衛生状態についての消費者の認識を指す。衛生の認識は、消費者試験によって証明されるような、消費者標的清浄化部位でのより深く感じられる無菌あるいは細菌および／または他の病原体の欠如として定義できる。例えば、消費者は、表面を細菌または微生物がないままにする製品、無菌状態、除菌または殺菌などの属性を衛生の認識によって同定可能である。消費者は、衛生を清潔認識よりも強いものとして認識するであろう。
【００２２】
本明細書で用いるとき、用語「清潔」は、清潔な状態についての消費者の認識を指す。例えば、消費者は、新鮮さや、硬い食品、グリース、汚れおよび／またはほこりの除去や、あるいはクリアなおよび／または輝く表面などの属性を清潔の認識によって同定可能である。
【００２３】
本明細書で用いるとき、用語「誇らしい（ｐｒｏｕｄ）」または「誇り（ｐｒｉｄｅ）」は、誇り高いまたは誇りを持つという消費者の認識を指す。例えば、消費者は友人および／または家族を家に招待するのに、より深い誇りの感覚を感じることがある。
【００２４】
本明細書で用いるとき、用語「快楽性」は、香りに対する消費者の総合的な意見、例えば、消費者がある香りを心地よいかまたは全体的に好ましいと感じるかどうかを指す。
【００２５】
本明細書において消費者の認識を記載するために用いた用語は、英語で表現されてはいるが、外国語、例えば、日本語での単語に相当している可能性があり、その言葉に由来するあらゆる付加的な意味、意味合い、暗示的意味、および／またはニュアンスを組み込んでいる。例えば、「Ｃｌｅａｎ」は本明細書で用いるとき、日本語の単語「清潔」に相当し得る。例えば、「Ｇｅｒｍ  ｒｅｍｏｖａｌ」は本明細書で用いるとき、日本語の単語「除菌」に相当し得る。「Ｇｅｒｍ  ｋｉｌｌ」は、本明細書で用いるとき、日本語の単語「殺菌」に相当し得る。
【００２６】
本明細書で用いるとき、用語「患者」は、ヒトまたは非ヒト患者を指す。「消費者」は、ヒト患者を指す。非ヒト患者の限定しない例は、非ヒト霊長類、イヌ、ネコ、マウス、ラット、モルモット、ウサギ、ブタ、ニワトリ、ウマ、ウシ、ヤギ、ヒツジ、クジラなどを包含する。
【００２７】
本明細書で用いるとき、用語「消費者製品基剤」は、清浄化、柔軟化、ケアリングなどの消費者製品の特定の目的を果たすための、消費者製品として使用するための組成物を意味する。
【００２８】
本明細書で用いるとき、用語「エナンチオマー」は、互いに重ね合わすことができない鏡像である一対の立体異性体を指す。一対のエナンチオマーの１：１混合物は、「ラセミ」混合物である。該用語は、適切な場合にはラセミ混合物を示すべく使用される。
【００２９】
本明細書で用いるとき、用語「ジアステレオ異性体」は、少なくとも２つの不斉原子を有するが、しかし互いに鏡像ではない立体異性体を指す。絶対立体化学は、カーン・インゴルド・プレローグ（Ｃａｈｎ−Ｉｎｇｏｌｄ−Ｐｒｅｌｏｇ）Ｒ−Ｓシステムに従って特定される。化合物が純粋なエナンチオマーある場合、各キラル炭素における立体化学は、ＲまたはＳのいずれかにより特定され得る。その絶対立体配置が未知である分割された化合物は、それらがナトリウムＤ線の波長において平面偏光を回転させる方向（右旋または左旋）に応じて、（＋）または（−）と称され得る。本明細書に開示された主題の化合物は、１つ以上の不斉中心を含有しており、したがって、エナンチオマー、ジアステレオマー、および、絶対立体化学の観点から（Ｒ）−または（Ｓ）−として定義され得る他の立体異性体型を生じ得る。本明細書に開示された主題は、ラセミ混合物、光学的に純粋な形態、および中間混合物を含め、かかる可能な異性体の全てを包含することを意味する。光学活性（Ｒ）−および（Ｓ）−異性体は、キラルシントンもしくはキラル試薬を用いて調製されるか、または通常の技術を用いて分割されてもよい。化合物が二重結合を含有する場合、置換基はＥまたはＺ立体配置であり得る。化合物が二置換シクロアルキルを含有する場合、シクロアルキル置換基はシス−またはトランス−立体配置を有し得る。全ての互変異性体もまた、包含されることが意図されている。
【００３０】
本明細書で用いるとき、用語「異性体」は、同じ分子式をもつが、原子の配列および立体配置を異にする、異なる化合物を指す。また本明細書で用いるとき、用語「立体異性体」は、本明細書に開示された主題の所与の化合物について存在し得る任意の種々の立体異性体配置のものを指し、かつ幾何異性体を包含する。置換基が、炭素原子のキラル中心において結合され得ることが理解される。それ故、本明細書に開示された主題は、化合物のエナンチオマー、ジアステレオマー、またはラセミ体を包含する。また本明細書で用いるとき、用語「構造異性体」は、同じ数およびタイプの原子を有するが、原子が異なって結合されている、異なる化合物を指す。
【００３１】
２．アコードおよび組成物
アコードは、限定されるものではないが、２つ以上の化合物を含む。非限定的な一例では、アコードおよび／またはフレグランス組成物は、限定されるものではないが、１つ以上の化合物を、それらの個々の香りの特性によって特徴づけられるフレグランス化合物の１つ以上の群、例えば、１つ以上のシトラス系化合物、および／または１つ以上のハーブ／アロマ系化合物、および／または１つ以上のフルーツ系化合物、および／または１つ以上のグリーン系化合物、および／または１つ以上のフローラル系化合物、および／またはそれらの組合せ、から選択される組合せで含む。本明細書に開示された主題のアコードおよび／またはフレグランス組成物はさらに、衛生の認識の測定を確認するための本明細書に記載された１つ以上の方法によって特徴づけられ得る。
【００３２】
ある実施形態においては、１つ以上のシトラス化合物は、限定されるものではないが、オレンジ、ライム、グレープフルーツなどのシトラス油または抽出物、アオモジ精油、濃縮シトラス油（倍油）、シトロネロール（３，７−ジメチルオクタ−６−エン−１−オール［ＣＡＳ  Ｎｏ．１０６−２２−９］、シメン、パラ（１−メチル−４−プロパン−２−イルベンゼン）（または１−メチル−４−（１−メチルエチル）ベンゼン）［ＣＡＳ  Ｎｏ．９９−８７−６］、ドデカンニトリル［ＣＡＳ  Ｎｏ．２４３７−２５−４］、シトロネリルニトリル（３，７−ジメチル−６−オクテンニトリル）［ＣＡＳ  Ｎｏ．５１５６６−６２−２］、クロナール、リモネン（１−メチル−４−（１−メチルエテニル）−シクロヘキセン）［ＣＡＳ  Ｎｏ．１３８−８６−３］、シトラール（（２Ｅ）−３，７−ジメチルオクタ−２，６−ジエナール）［ＣＡＳ  Ｎｏ．１４１−２７−５、５３９２−４０−５］、イソ−シクロシトラール（２，４，６−トリメチル−シクロヘキサ−３−エン−１−カルバルデヒド）［ＣＡＳ  Ｎｏ．１３３５−６６−６］、ネロール（（２Ｚ）−３，７−ジメチルオクタ）−２，６−ジエン−１−オール）［ＣＡＳ  Ｎｏ．１０６−２５−２］、シトロネラール（３，７−ジメチルオクタ−６−エナール）［ＣＡＳ  Ｎｏ．１０６−２３−０］、ジヒドロミルセノール［ＣＡＳ  Ｎｏ．１８４７９−５８−８］、ファルネセン、ノポール（２−（６，６−ジメチル−４−ビシクロ［３．１．１］へプタ−３−エニル）エタノール）［ＣＡＳ  Ｎｏ．１２８−５０−７］、マンダリンアルデヒド（トランス−２−ドデセナール）［ＣＡＳ  Ｎｏ．２０４０７−８４−５］、ノピルアセタート（２−（６，６−ジメチル−ビシクロ［３．３．１］へプタ−２−エン−２−イル）エチルアセタート）［ＣＡＳ  Ｎｏ．１２８−５１−８］、オキサン（例えば、１，３−オキサチアン、２−メチル−４−プロピル−、シス−、［ＣＡＳ  Ｎｏ．００５９３２３−７６−１］）、リモネンチオール、グレープフルーツメルカプタン、シトラサール、ライムオキシド、エレミ油、および、＞５０重量％のリモネン、または＞５０重量％のシトラール、または＞５０重量％のシトロネラール化合物を含有する他の精油、抽出分画、もしくは単離物、ならびにそれらの組合せを包含する。これらの化合物は、本明細書に列記された前記化合物の構造異性体、エナンチオマー、立体異性体、およびラセミ混合物を包含する。
【００３３】
ある実施形態においては、１つ以上のハーブ／アロマ系化合物は、限定されるものではないが、ボルニルアセタート（（４，７，７−トリメチル−３−ビシクロ［２，２，１］ヘプタニル）アセタート）［ＣＡＳ  Ｎｏ．１２５−１２−２］、イソ−ボルニルアセタート（［（１Ｒ，３Ｓ，４Ｓ）−４，７，７−トリメチル−３−ビシクロ［２，２，１］ヘプタニル］アセタート）［ＣＡＳ  Ｎｏ．１２５−１２−２］、ピネンアルファ（６，６−トリメチルビシクロ［３．３．１］へプタ−３−エン）［ＣＡＳ  Ｎｏ．８０−５６−８］、ピネンベータ（６，６−ジメチル−４−メチリデンビシクロ［３．３．１］へプタン）［１２７−９１−３］、パイン油、テルピノレン２０（１−メチル−４−プロパン−２−イリデンシクロヘキセン）［ＣＡＳ番号：５８５−６２−９］、テルピノレン９０（１−メチル−４−プロパン−２−イリデンシクロヘキセン）［ＣＡＳ番号：５８６−６２−９］、テルピネンアルファ（１−イソプロピル−４−メチル−１，３−シクロヘキサジエン）［ＣＡＳ  Ｎｏ．９９−８６−５］、アルファ−テルピネオール（２−（４−メチルシクロヘキサ−３−エン−１−イル）プロパン−２−オール）［ＣＡＳ  Ｎｏ．９８−５５−５］、テルピンガンマ（１−メチル−４−プロパン−２−イルシクロヘキサ−１，４−ジエン）［ＣＡＳ  Ｎｏ．９９−８５−４］、ＤＨテルピネオール（２−（４−メチルシクロヘキシル）プロパン−２−オール）［ＣＡＳ  Ｎｏ．５８９８５−０２−７］、テルピノール、テルピニルアセタート（（±）−２−（４−メチル−３−シクロヘキセニル）−イソプロピルアセタート）［ＣＡＳ  Ｎｏ．８０−２６−２］、テルピネオール（２−（４−メチルシクロヘキサ−３−エン−１−イル）プロパン−２−オール）［ＣＡＳ  Ｎｏ．９８−５５−５］、リナロール（３，７−ジメチル−１，６−オクタジエン−３−オール）［ＣＡＳ  Ｎｏ．７８−７０−６  １１０２４−２０−７］、リナリルエステル、例えば、リナリルアセタート（３，７−ジメチルオクタ−１，６−ジエン−３−イルアセタート）［ＣＡＳ  Ｎｏ．１１５−９５−７］、および＞５０重量％のリナロールおよびリナリルアセタートの組合せを含有する精油もしくは抽出物（すなわち、ラベンダー油）、チモール（５−メチル−２−プロパン−２−イルフェノール）［ＣＡＳ  Ｎｏ．８９−８３−８］（例えば、チモール結晶）、＞５０重量％のチモールを含有する精油もしくは抽出物、＞５０重量％のピネンアルファおよびピネンベータの組合せを含有する精油、ならびにそれらの組合せを包含する。これらの化合物は、本明細書に列記された前記化合物の構造異性体、エナンチオマー、立体異性体、およびラセミ混合物を包含する。
【００３４】
ある実施形態においては、１つ以上のフルーツ系化合物は、限定されるものではないが、カシス、ラズベリーケトン（４−（４−ヒドロキシフェニル）−２−ブタノン）［ＣＡＳ  Ｎｏ．５４７１−５１−２］、Ｃ１−Ｃ７のいくつかの炭素原子をもつ脂肪族飽和もしくは不飽和の直鎖もしくは分枝鎖のアルコールと反応された、Ｃ２−Ｃ７のいくつかの炭素原子をもつ脂肪族飽和直鎖もしくは分枝鎖脂肪酸のエステル、およびそれらの組合せを包含する。ある実施形態では、炭素原子の総数は、１２個未満である。ある実施形態では、炭素原子の総数は、１０個未満である。フルーツ系化合物の追加の非限定的例は、限定されるものではないが、Ｃ１−Ｃ６直鎖もしくは分枝鎖アルキルアセタート、プロピオナート、ブチラート、イソ−ブチラート、ペンタノアート（バレレート）、イソ−バレレート、グリコラート、ヘキサノアート、ヘプタノアート、クロトナート、およびチグラートを包含する。これらの化合物は、本明細書に列記された前記化合物の構造異性体、エナンチオマー、立体異性体、およびラセミ混合物を包含する。
【００３５】
ある実施形態においては、１つ以上のフローラル系化合物は、限定されるものではないが、酢酸シトロネリル（３，７−ジメチルオクタ−６−エニルアセタート）［ＣＡＳ番号：１５０−８４−５］；アントラニル酸ジメチル（メチル２−メチルアミノベンゾアート）［ＣＡＳ番号：８５−９１−６］；オイゲノール（２−メトキシ−４−（２−プロペン−１−イル）−フェノール）［ＣＡＳ番号：９７−５３−０］、インドール結晶（１Ｈ−インドール）［ＣＡＳ番号：１２０−７２−９］；アントラニル酸メチル（安息香酸、２−アミノ−、メチルエステル）［ＣＡＳ番号：１３４−２０−３］、ジャスモン酸メチル（メチル２−（３−オキソ−２−ペンタ−２−エニルシクロペンチル）アセタート）［ＣＡＳ番号：３９９２４−５２−２］；およびそれらの組合せを包含する。これらの化合物は、本明細書に列記された前記化合物の構造異性体、エナンチオマー、立体異性体、およびラセミ混合物を包含する。ある実施形態においては、１つ以上のグリーン系化合物は、限定されるものではないが、Ｄｙｎａｓｃｏｎｅ  Ｎｅａｔ９３９．７４５（１−（２，６，６−トリメチル−１，３−シクロヘキサジエン−１−イル）−２−ブテン−１−オン）［ＣＡＳ番号：２３６９６−８５−７］；ガルバナム油（Ｇａｌｂａｎｕｍ  Ｏｉｌ）Ａ  Ｎａｔ（フェルラ・ガルバニフルア樹脂油）［ＣＡＳ番号：８０２３−９１−４］；へキセン−１−オール、シス−３（（Ｚ）−ヘキサ−３−エン−１−オール）［ＣＡＳ番号：９２８−９６−１  ９５１２３−４７−０］；ヘキサナール、トランス−２（（Ｅ）−ヘキサ−２−エナール）［ＣＡＳ番号：６７２８−２６−３］；およびそれらの組合せを包含する。これらの化合物は、本明細書に列記された前記化合物の構造異性体、エナンチオマー、立体異性体、およびラセミ混合物を包含する。
【００３６】
ある実施形態においては、１つ以上のシトラス系、ハーブ／アロマ系、フルーツ系、フローラル系、および／またはグリーン系化合物はアコード中に、約０．００１重量％から約９９重量％まで、または約０．０１重量％から約９０重量％まで、または約０．１重量％から約８０重量％まで、または約１重量％から約７０重量％まで、または約２重量％から約６０重量％まで、または約５重量％から約５０重量％まで、または約１０重量％から約４０重量％まで、または約１５重量％から約３０重量％まで、または約２０重量％から約２５重量％までの量で配合される。
【００３７】
ある実施形態においては、１つ以上のシトラス系化合物はアコード中に、約０．１重量％から約８０重量％まで、または約０．２重量％から約５０重量％まで、または約０．２重量％から約６０重量％までの量で存在する。別の実施形態では、１つ以上のシトラス系化合物はアコード中に、約３０重量％より多く、約４０重量％より多く、または約５０重量％より多い量で配合される。
【００３８】
ある実施形態においては、１つ以上のハーブ／アロマ系化合物はアコード中に、約０．１重量％から約８０重量％まで、または約０．１重量％から約５０重量％まで、または約０．２重量％から約３７重量％まで、または約０．５重量％から約３５重量％までの量で配合される。別の実施形態では、１つ以上のハーブ／アロマ系化合物はアコード中に、約５０重量％未満、または約３０重量％未満の量で存在する。
【００３９】
ある実施形態においては、１つ以上のフルーツ系化合物はアコード中に、約０．１重量％から約１０重量％まで、または約０．１重量％から約５重量％までの量で配合される。別の実施形態では、１つ以上のフルーツ系化合物はアコード中に、約５重量％以下の量で存在する。
【００４０】
ある実施形態においては、アコード中の残りの化合物は、約５０重量％未満、または約２５重量％未満を構成しなければならない。
【００４１】
ある実施形態においては、１つ以上のシトラス系、ハーブ／アロマ系、フルーツ系化合物が、アコード中に配合される。ある実施形態では、１つ以上のシトラス系化合物はアコード中に、約３０重量％より多く、約４０重量％より多く、または約５０重量％より多い量で配合される。ある実施形態では、１つ以上のハーブ／アロマ系化合物はアコード中に、約５０重量％未満、または約３０重量％未満の量で配合される。ある実施形態では、１つ以上のフルーツ系化合物はアコード中に、約５重量％以下の量で配合される。
【００４２】
ある実施形態においては、シトラス系対ハーブ／アロマ系化合物の比は、約１０：１から約０．１：１まで、または約７：１から約０．６５：１までである。ある実施形態では、シトラス系対ハーブ／アロマ系化合物の比は、約５：１から約、１：１までである。
【００４３】
ある実施形態においては、フレグランス組成物は、１つ以上のアコード、および／または本明細書に開示された主題の１つ以上の化合物を含み得る。ある実施形態においては、フレグランス組成物は、２つ以上のアコード、および／または２つ以上の化合物を含み得る。ある実施形態においては、本開示フレグランス組成物は、３つ以上のアコード、または４つのフレグランスアコードを含む。同様に、ある実施形態では、本開示フレグランス組成物は、３つ以上の化合物、または４つのフレグランス化合物を含む。特定の実施形態においては、本明細書に開示された主題のフレグランス組成物は、少なくとも１つのシトラス系化合物と、および、ハーブ／アロマ系化合物、フルーツ系化合物、グリーン系化合物、および／またはフローラル系化合物、およびそれらの組合せの少なくとも１つ以上とを含む。
【００４４】
ある実施形態においては、１つ以上の化合物はフレグランス組成物中に、約０．０００１重量％から約１００重量％まで、または約０．０００１重量％から約８０重量％まで、または約０．０００１重量％から約２５重量％まで、または約０．０１重量％から約９０重量％まで、または約０．１重量％から約８０重量％まで、または約０．０１重量％から約５０重量％まで、または約１重量％から約７０重量％まで、または約２重量％から約６０重量％まで、または約５重量％から約５０重量％まで、または約１０重量％から約４０重量％まで、または約１５重量％から約３０重量％まで、または約２０重量％から約２５重量％までの量で配合される。別の実施形態では、１つ以上の化合物は、組成物中に、約１．０重量％から約１００重量％まで、または約１０重量％から約１００重量％まで、または約２０重量％から約１００重量％まで、または約３０重量％から約１００重量％まで、または約４０重量％から約１００重量％まで、または約５０重量％から約１００重量％まで、または約６０重量％から約１００重量％まで、または約７０重量％から約１００重量％まで、または約８０重量％から約１００重量％まで、または約８５重量％から約１００重量％まで、または約９０重量％から約１００重量％までの量で配合される。
【００４５】
ある実施形態においては、アコードはフレグランス組成物中に、約０．００１重量％から約１００重量％まで、または約０．００１重量％から約９９重量％まで、または約０．０１重量％から約９０重量％まで、または約０．１重量％から約８０重量％まで、または約１重量％から約７０重量％まで、または約２重量％から約６０重量％まで、または約５重量％から約５０重量％まで、または約１０重量％から約４０重量％まで、または約１５重量％から約３０重量％まで、または約２０重量％から約２５重量％までの量で配合される。別の実施形態においては、アコードは組成物中に、約１．０重量％から約９９重量％まで、または約１０重量％から約９９重量％まで、または約２０重量％から約９９重量％まで、または約３０重量％から約９９重量％まで、または約４０重量％から約９９重量％まで、または約５０重量％から約９９重量％まで、または約６０重量％から約９９重量％まで、または約７０重量％から約９９重量％まで、または約８０重量％から約９９重量％まで、または約８５重量％から約９９重量％まで、または約９０重量％から約９９重量％までの量で配合される。
【００４６】
加えて、ある実施形態では、アコードは、少なくとも１つ、少なくとも２つ、少なくとも３つ、または少なくとも４つの硫黄含有化合物を含む。ある実施形態では、アコードは、少なくとも１つのシトラス系化合物と、少なくとも１つの硫黄含有化合物とを含み得る。これに代え、または追加して、アコードは、少なくとも１つのフルーツ系化合物と、少なくとも１つの硫黄含有化合物とを含み得る。ある実施例では、硫黄含有化合物は、リモネンチオール［ＣＡＳ  Ｎｏ．６８９２１−２６−６］、チオゲラニオール（（２Ｅ）−３，７−ジメチルオクタ−２，６−ジエン−１−チオール）［ＣＡＳ  Ｎｏ．３９０６７−８０−６］、ＲＩＮＧＯＮＯＬ（登録商標）（８−メルカプト−ｐ−メンタン−３−オン）［ＣＡＳ  Ｎｏ．３８４６２−２２−５］（例えば、８−メルカプト−ｐ−メタン−３−オンの左旋体）、オキサン（例えば、１，３−オキサチアン、２−メチル−４−プロピル−、シス−、［ＣＡＳ  Ｎｏ．００５９３２３−７６−１］）、ｐ−メンテン−８−チオール（すなわち、グレープフルーツメルカプタンまたはＣｏｒｐｓ  １４９０）、およびそれらの組合せからなる群より選択される。これらの化合物は、本明細書に列記された前記化合物の構造異性体、エナンチオマー、立体異性体、およびラセミ混合物を包含する。硫黄含有化合物の追加の非限定的例は、４−メチルチオ−４−メチル−２−ペンタノン［ＣＡＳ  Ｎｏ．２３５５０−４０−５］、３メルカプト−ヘキサノール、メトキシメチルブタンチオール、ジブチルスルフィド、ジメチルスルフィド、チオシネオール、２−イソプロピル−４−メチルチアゾール、およびそれらの組合せ；ならびにシトラス系化合物を含むフレグランスアコードに適合した任意の他の硫黄含有材料を包含する。特定の実施形態では、アコードは、チオゲラニオールおよびリゴノール（ｒｉｇｏｎｏｌ）を含む。これらの化合物は、本明細書に列記された前記化合物の構造異性体、エナンチオマー、立体異性体、およびラセミ混合物を包含する。
【００４７】
ある実施形態においては、１つ以上の硫黄含有化合物は、フレグランス組成物中に、約０．０００００１重量％から約０．５重量％まで、または約０．００００１重量％から約０．２５重量％まで、または約０．０００２５重量％から約０．１２５重量％まで、または約０．００５重量％から約０．１重量％までの量で存在する。ある実施形態では、１つ以上の硫黄含有化合物はフレグランス組成物中に、約０．０２５重量％の量で存在する。ある実施形態では、フレグランス組成物は約０．０００１重量％のリモネンチオール、約０．０００３重量％のチオゲラニオール、約０．０１重量％のＲＩＮＧＯＮＯＬ（登録商標）、および約０．０１５重量％のオキサンを含む。ある実施形態では、フレグランス組成物は約０．０００００１重量％から約０．５重量％まで、または約０．０００００１重量％から約０．００１重量％まで、または約０．０００００５重量％から約０．０００５重量％まで、または約０．０００００５重量％から約０．０００２５重量％まで、または約０．００００１重量％から約０．０００２５重量％まで、または約０．０００１重量％から約０．０１重量％までのリモネンチオールを含む。ある実施形態では、フレグランス組成物は約０．０００００１重量％から約０．５重量％まで、または約０．０００００３重量％から約０．００３重量％まで、または約０．００００２重量％から約０．００１５重量％まで、または約０．００００２重量％から約０．００１重量％まで、または約０．００００３重量％から約０．００１重量％まで、または約０．０００３重量％から約０．０３重量％までのチオゲラニオールを含む。ある実施形態では、フレグランス組成物は約０．０００００１重量％から約０．５重量％まで、または約０．０００１重量％から約０．５重量％まで、または約０．０００５重量％から約０．０１重量％まで、または約０．０００５重量％から約０．０２５重量％まで、または約０．００１重量％から約０．０５重量％まで、または約０．０１重量％から約０．０２５重量％までのＲＩＮＧＯＮＯＬ（登録商標）を含む。ある実施形態では、フレグランス組成物は約０．０００００１重量％から約０．５重量％まで、または約０．０００１５重量％から約０．５重量％まで、または約０．００１重量％から約０．０１５重量％まで、または約０．００１重量％から約０．０５重量％まで、または約０．００１５重量％から約０．０７５重量％まで、または約０．０１５重量％から約０．５重量％までのオキサンを含む。
【００４８】
ある実施形態においては、１つ以上のアコードをフレグランス組成物中に配合して、フレグランス組成物が約０．００００１重量％から約０．２５重量％まで、または約０．０００２重量％から約０．０２５重量％まで、または約０．０００５重量％から約０．０２５重量％までのｐ−メンテン−８−チオールを含むようにする。ある実施形態では、フレグランス組成物は１つ以上のアコードから配合され、かつ２つ以上の硫黄含量化合物を含む。例えば、ある非限定的な実施形態では、フレグランス組成物はチオゲラニオールおよびリモネンチオールを含む。ある非限定的な実施形態では、フレグランス組成物はＲＩＮＧＯＮＯＬ（登録商標）およびオキサンを含む。ある実施形態では、フレグランス組成物は、チオゲラニオール、リモネンチオール、ＲＩＮＧＯＮＯＬ（登録商標）、オキサン、およびｐ−メンテン−８−チオールの少なくとも１つを含み、かつさらに追加の硫黄含有化合物を含む。
【００４９】
ある実施形態においては、フレグランス組成物は、追加の硫黄含有化合物を約０．００００１重量％から約０．０１重量％までの量で含む。ある実施形態では、追加の硫黄含有化合物は、４−メチルチオ−４−メチル−２−ペンタノン［ＣＡＳ  Ｎｏ．２３５５０−４０−５］である。例えば、かつ非限定的に、４−メチルチオ−４−メチル−２−ペンタノン［ＣＡＳ  Ｎｏ．２３５５０−４０−５］は、フレグランス組成物中に約０．０００２重量％から約０．０１重量％までの量で存在し得る。ある実施形態では、追加の硫黄含有化合物は、３メルカプト−ヘキサノールである。例えば、かつ非限定的に、３メルカプト−ヘキサノールはフレグランス組成物中に、約０．０００２重量％から約０．０１重量％までの量で存在し得る。ある実施形態では、追加の硫黄含有化合物は、メトキシメチルブタンチオールである。例えば、かつ非限定的に、メトキシメチルブタンチオールはフレグランス組成物中に、約０．０００１重量％から約０．００５重量％までの量で存在し得る。ある実施形態では、追加の硫黄含有化合物は、ジブチルスルフィドである。例えば、かつ非限定的に、ジブチルスルフィドはフレグランス組成物中に、約０．００００２重量％から約０．００１重量％までの量で存在し得る。ある実施形態では、追加の硫黄含有化合物は、ジメチルスルフィドである。例えば、かつ非限定的に、ジメチルスルフィドはフレグランス組成物中に、約０．０００１重量％から約０．００５重量％までの量で存在し得る。ある実施形態では、追加の硫黄含有化合物は、チオシネオールである。例えば、かつ非限定的に、チオシネオールはフレグランス組成物中に、約０．０００２重量％から約０．０１重量％までの量で存在し得る。ある実施形態では、追加の硫黄含有化合物は、２−イソプロピル−４−メチルチアゾールである。例えば、かつ非限定的に、２−イソプロピル−４−メチルチアゾールはフレグランス組成物中に、約０．０００１重量％から約０．００５重量％までの量で存在し得る。
【００５０】
ある実施形態においては、組成物はまた１つ以上の溶媒または希釈剤も含む。かかる溶媒または希釈剤は、限定されるものではないが、ダウアノール、アイソパーなどを包含する。具体的な非限定的例は、ジプロピレングリコール（ＤＰＧ）（３−（３−ヒドロキシプロポキシ）プロパン−１−オール）［ＣＡＳ番号：２５２６５−７１−８］、クエン酸トリエチル（トリエチル２−ヒドロキシプロパン−１，２，３−トリカルボキシラート）［ＣＡＳ番号：７７−９３−０］、およびそれらの組合せを包含する。溶媒の追加の例は、限定されるものではないが、プロピレングリコール、ジエチルフタラート（ＤＥＰ）、ジイソノニルフタラート（ＤＩＮＰ）、ベンジルアルコール、ジオクチルアジパート、水添ロジン酸メチル［ＣＡＳ  Ｎｏ．８０５０−１５−５］、テルペン（例えば、Ｇｌｉｄｓｏｌ  １００）、パラフィン系ナフテン系溶媒（例えば、ＬＰＡ−１７０溶媒）、イソアルカン（例えば、ソルトロール（Ｓｏｌｔｒｏｌ）１７０  イソパラフィン），イソパラフィン、イソオクタデカノール（例えば、Ｔｅｇｏ  Ａｌｋａｍｏｌ  ６６）、フェノキシエタノール、ジエチレングリコールモノエチルエーテル（軽質カルビトール（Ｃａｒｂｉｔｏｌ））、グリコールエーテル（メチルカルビトール）、ジプロピレングリコールメチルエーテル（例えば、ダウアノール（Ｄｏｗａｎｏｌ）ＤＰＭ）、ジプロピレングリコールメチルエーテルアセタート（例えば、ダウアノールＤＰＭＡ）、プロピレングリコールメチルエーテル（例えば、ダウアノールＰＭグリコールエーテル）、トリプロピレングリコールメチルエーテル、ジイソヘプチルフタラート（例えば、ジェイフレックス（Ｊａｙｆｌｅｘ）（登録商標）７７、エクソン（Ｅｘｘｏｎ）より市販）、脱イオンまたは蒸留水、特定変性エチルアルコール（例えば、ＳＤＡ  ４０Ｂ）、アジピン酸ジメチル／グルタル酸ジメチル（例えば、ＤＢＥ（登録商標）−ＬＶＰエステル、フレキシソルブ（ＦＬＥＸＩＳＯＬＶ）（登録商標）より市販）、ラセミ混合物（＋／−）−２，２−ジメチル−４−ヒドロキシメチル−１，３−ジオキソラン（例えば、Ａｕｇｅｏ  Ｃｌｅａｎ  Ｍｕｌｔｉ  Ｓｏｌｖｅｎｔ）、アルコール４０Ｂ無水  ２００プルーフ、アルコールＳＤＡ４０Ｂ  １９０プルーフ、トリアセチン、３−メトキシ−３−メチル−１−ブタノール（ソルフィット（Ｓｏｌｆｉｔ））、ラウリン酸ベンジル、トリプロピレングリコールメチルエーテル（例えば、ダウアノールＴＰＭ）、ジプロピレングリコールｎ−ブチルエーテル（例えば、ダウアノールＤＰＮＢ）、ジメチルシロキサン、トリメチルシロキシ末端（例えば、ダウアノールコーニング（Ｄｏｗａｎｏｌ  Ｃｏｒｎｉｎｇ）２００液）、カプリル酸／カプリン酸トリグリセリド（例えば、ネオビー（Ｎｅｏｂｅｅ）Ｍ−５）、プロピレングリコールおよびオレイン酸グリセリル（例えば、アルラセル（Ａｒｌａｃｅｌ）１８６）、Ｕｎｉｃｅｔｈ−ＩＣ２０Ｌ（例えば、アルラソルブ（Ａｒｌａｓｏｌｖｅ）２００Ｌ）、プロパンジオール、１，３，ブチルセロソルブ、ヘキシレングリコール、グリセリン、イソプロピルアルコール、２−メチル−１，３−プロパンジオール（例えば、ＭＰジオールグリコール）、クエン酸ジエチル、アセチルクエン酸トリエチル、イソペンチルジアセタート（ＩＰＤ−ＡＣ）、ジメチル２−メチルペンタンジオアート（例えば、ローディアソルブ（Ｒｈｏｄｉａｓｏｌｖ）Ｉｒｉｓ）、中鎖トリグリセリド（ＭＣＴ）、テルペン炭化水素（例えば、ジペンテン５１００）、３，５，５−トリメチルヘキシルアセタート、マロン酸ジエチル、酢酸シクロヘキシル、ｐ−ｔｅｒｔ−ブチル（例えば、ベルテネックス（Ｖｅｒｔｅｎｅｘ））、コハク酸ジエチル、ヒマワリ油、大豆メチルエステル、安息香酸ベンジル、ミリスチン酸イソプロピル（ＩＰＭ）、パルミチン酸イソプロピル（ＩＰＰ／デルチルプリム（Ｄｅｌｔｙｌ  Ｐｒｉｍｅ））、ステアリン酸ブチル、Ｎメチルステアラート、およびそれらの組合せを包含し得る。
【００５１】
ある実施形態においては、１つ以上の溶媒はアコード中に、約１０重量％から約７０重量％まで、または約１０重量％から約５０重量％まで、または約１５重量％から約４０重量％までの量で存在する。
【００５２】
フレグランス組成物中に使用される溶媒の量は、全フレグランス組成物の約７０重量％未満、または約６０重量％未満、または約５０重量％未満、または約４０重量％未満、または約３０重量％未満、または約２０重量％未満、または約１０重量％未満、または約５重量％未満である。別の実施形態では、１つ以上の溶媒は、１つ以上のアコードを含むフレグランス組成物中に、約１．５重量％から約３０．０重量％まで、または約１．５重量％から約２６．０重量％までの量で存在する。
【００５３】
当該技術分野において公知の追加の溶媒または希釈剤もまた使用可能である。用いる具体的な溶媒は、特定の最終用途製品に依存するものとする。溶媒は、その添加がフレグランスノートに影響を及ぼさない限り、必要に応じて使用し得る。
【００５４】
ある実施形態においては、フレグランス組成物は、１つ以上のアコードおよび１つ以上の追加のフレグランス化合物を含み得る。ある実施形態では、フレグランス組成物は、２つ以上のアコードおよび１つ以上の追加のフレグランス化合物を含み得る。ある実施形態では、フレグランス組成物は、３つ以上のアコードおよび１つ以上の追加のフレグランス化合物を含み得る。ある実施形態では、アコードにおける追加のフレグランス化合物は、約５０重量％未満、または約２５重量％未満を構成する。
【００５５】
ある実施形態においては、１つ以上のシトラス系化合物は、１つ以上のアコードを含むフレグランス組成物中に、約０．０００１重量％から約１００重量％まで、または約０．０００１重量％から約８０重量％まで、０．０００３重量％から約６５重量％まで、または約０．０００３重量％から約４０重量％までの量で存在する。ある実施形態では、１つ以上のハーブ／アロマ系化合物は、１つ以上のアコードを含むフレグランス組成物中に、約０．１重量％から約８０重量％まで、または約０．１重量％から約５０重量％まで、または約０．１重量％から約１０重量％まで、または約０．１重量％から約７重量％までの量で存在する。ある実施形態では、１つ以上のフルーツ系化合物は、１つ以上のアコードを含むフレグランス組成物中に、約０．０００１重量％から約１００重量％まで、または約０．０００１重量％から約２５重量％まで、または約０．０００３重量％から約２．０重量％まで、または約０．０００３重量％から約１．５重量％までの量で存在する。
【００５６】
一態様においては、少なくとも１つのフレグランスアコードを含む、消費者の衛生の認識を誘発するためのフレグランス組成物であって、前記フレグランスアコードが（ｉ）２つ以上の硫黄含有成分と、および（ｉｉ）シトラス系成分、ハーブ系成分、フルーツ系成分、およびそれらの組合せからなる群より選択される少なくとも１つの追加の化合物とを含む、該フレグランス組成物が開示される。
【００５７】
フレグランス組成物であって：ｃ−１２アルデヒドラウリック；シス−４−デセナール；トランス−２−デセナール；マンダリンアルデヒド１０％ＴＥＣ；シメン、Ｐ；レモン油テルペンホワイト（Ｌｅｍｏｎ  Ｏｉｌ  Ｔｅｒｐｅｎｅｓ  Ｗｈｉｔｅ）；リモネンチオール１％ＴＥＣ  １０％ＴＥＣ；オレンジ油ペラブラジル（Ｐｅｒａ  Ｂｒａｚｉｌ）；オレンジ油テルペンホワイト（Ｔｅｒｐｅｎｅｓ  Ｗｈｉｔｅ）；オキサン９６９３８０／ＴＥＣ５０％；ルバフラン；ＲＩＮＧＯＮＯＬ（登録商標）５０ＴＥＣ；テルピノレン２０；チオゲラニオール；チモール結晶；酢酸シトロネリル；アントラニル酸ジメチル；オイゲノール；インドール結晶；アントラニル酸メチル、ジャスモン酸メチル；ペリラアルデヒド；アルファ−フェランドレン；合成リナロール；ダイナスコンニート（Ｄｙｎａｓｃｏｎｅ  Ｎｅａｔ）９３９．７４５；ガルバナム油（Ｇａｌｂａｎｕｍ  Ｏｉｌ）Ａ  Ｎａｔ；シス−３−へキセン−１−オール；トランス−２−ヘキセナール；ペリラアルデヒド；アルファ−フェランドレン；合成リナロール；およびクエン酸トリエチルを含む、該フレグランス組成物が開示される。
【００５８】
フレグランス組成物であって：シメン、Ｐ；シス−４−デセナール＠ＤＰＧ中１０％；トランス−２−デセナール、＠ＤＰＧ中１％；ジプロピレングリコール；ダイナスコンニート（Ｄｙｎａｓｃｏｎｅ  Ｎｅａｔ）９３９．７４５＠ＤＰＧ中１０％；オイゲノール＠ＤＰＧ中１０％；ガルバナム油（Ｇａｌｂａｎｕｍ  Ｏｉｌ）Ａ  Ｎａｔ＠ＤＰＧ中１％；シス−３−へキセン−１−オール；トランス−２−ヘキセナール＠ＤＰＧ中１０％；リモネンチオール１％ＴＥＣ  １０％ＴＥＣ；合成リナロール；マンダリンアルデヒド１０％ＴＥＣ；オレンジペラブラジル（Ｐｅｒａ  Ｂｒａｚｉｌ）Ｎａｔ  ＥＯ；オキサン９６９３８０＠ＴＥＣ中１０％；ペリラアルデヒド；ルバフラン＠ＤＰＧ中１０％；ＲＩＮＧＯＮＯＬ（登録商標）５０＠ＴＥＣ中１０％；チオゲラニオール＠ＴＥＣ中０．１％；およびチモール結晶を含む、該フレグランス組成物が開示される。
【００５９】
フレグランス組成物であって：ｃ−１２アルデヒドラウリック＠ＤＰＧ中１０％；シス−４−デセナール＠ＤＰＧ中１０％；トランス−２−デセナール＠ＤＰＧ中１％；アントラニル酸ジメチル（ｄｉｍｅｔｈ  ａｎｔｈ）；ジプロピレングリコール；ダイナスコンニート（Ｄｙｎａｓｃｏｎｅ  Ｎｅａｔ）９３９．７４５；ガルバナム（Ｇａｌｂａｎｕｍ）Ｎａｔ  ＥＯ＠ＤＰＧ中１％；シス−３−へキセン−１−オール；トランス−２−ヘキセナール、＠ＤＰＧ中１０％；インドール結晶＠ＤＰＧ中０．１％；合成リナロール；マンダリンアルデヒド１０％ＴＥＣ；アントラニル酸メチル＠ＤＰＧ中１％；ジャスモン酸メチル＠ＤＰＧ中１０％；オキサン９６９３８０＠ＤＰＧ中１０％；ペリラアルデヒド；アルファ−フェランドレン；ルバフラン＠ＤＰＧ中１０％；ＲＩＮＧＯＮＯＬ（登録商標）５０＠ＴＥＣ中１０％；テルピノレン２０；チオゲラニオール＠ＴＥＣ中０．１％；およびチモール結晶を含む、該フレグランス組成物が開示される。
【００６０】
フレグランス組成物であって：シメン、Ｐ；シス−４−デセナール＠ＤＰＧ中１０％；トランス−２−デセナール＠ＤＰＧ中１％；ジプロピレングリコール；ダイナスコンニート（Ｄｙｎａｓｃｏｎｅ  Ｎｅａｔ）９３９．７４５＠ＤＰＧ中１０％；オイゲノール＠ＤＰＧ中１０％；ガルバナム（Ｇａｌｂａｎｕｍ）Ｎａｔ  ＥＯ＠ＤＰＧ中１％；シス−３−へキセン−１−オール；トランス−２−ヘキセナール、＠ＤＰＧ中１０％；リモネンチオール１％ＴＥＣ  １０％ＴＥＣ；合成リナロール；マンダリンアルデヒド１０％ＴＥＣ；オレンジペラブラジル（Ｐｅｒａ  Ｂｒａｚｉｌ）Ｎａｔ  ＥＯ；オレンジホワイトテルペンＮａｔ  ＥＯ；オキサン９６９３８０＠ＴＥＣ中１０％；ペリラアルデヒド；アルファ−フェランドレン；ルバフラン＠ＤＰＧ中１０％；ＲＩＮＧＯＮＯＬ（登録商標）５０＠ＴＥＣ中１０％；テルピノレン２０；チオゲラニオール＠ＴＥＣ中０．１％；およびチモール結晶を含む、該フレグランス組成物が開示される。
【００６１】
フレグランス組成物であって：ｃ−１２アルデヒドラウリック＠ＤＰＧ中１０％；酢酸シトロネリル；シメン、Ｐ；シス−４−デセナール＠ＤＰＧ中１０％；トランス−２−デセナール＠ＤＰＧ中１％；アントラニル酸ジメチル（ｄｉｍｅｔｈ  ａｎｔｈ）；ジプロピレングリコール；ダイナスコンニート（Ｄｙｎａｓｃｏｎｅ  Ｎｅａｔ）９３９．７４５＠ＤＰＧ中１０％；オイゲノール＠ＤＰＧ中１０％；ガルバナム（Ｇａｌｂａｎｕｍ）Ｎａｔ  ＥＯ＠ＤＰＧ中１％；シス−３−へキセン−１−オール；トランス−２−ヘキセナール、＠ＤＰＧ中１０％；インドール結晶＠ＤＰＧ中０．１％；リモネンチオール１％ＴＥＣ  １０％ＴＥＣ；合成リナロール；マンダリンアルデヒド１０％ＴＥＣ；ジャスモン酸メチル＠ＤＰＧ中１０％；オレンジペラブラジル（Ｐｅｒａ  Ｂｒａｚｉｌ）Ｎａｔ  ＥＯ；オレンジホワイトテルペンＮａｔ  ＥＯ；オキサン９６９３８０＠ＴＥＣ中１０％；ペリラアルデヒド；アルファ−フェランドレン；ルバフラン＠ＤＰＧ中１０％；ＲＩＮＧＯＮＯＬ（登録商標）５０＠ＴＥＣ中１０％；チオゲラニオール＠ＴＥＣ中０．１％；およびチモール結晶を含む、該フレグランス組成物が開示される。
【００６２】
３．消費者製品における組成物の用途
本明細書に開示されたフレグランス配合物は、代表的なものである。フレグランス生成の当業者には、特定の製品カテゴリーおよび／または配合タイプ（例えば、安定性、持続性、拡散性）次第で、性能のために配合を最適化することが可能である。加えて、フレグランスの用量応答曲線を用いて快楽および精神物理学的応答を相関させることにより、消費者製品における適正なフレグランスの使用レベルをさらに最適化してもよい。
【００６３】
ある実施形態においては、本開示のフレグランス組成物およびアコードは、消費者製品の一部として配合される。ある実施形態では、フレグランス組成物は１つ以上の本開示のアコードを含む。
【００６４】
ある実施形態においては、本開示の消費者製品は、限定されるものではないが、家庭用製品またはホームケア製品であってよい。かかる製品の非限定的例は、エアケア製品（例えば、キャンドル、エアロゾル、スプレー装置、エアフレッシュナー、液体電気式エアフレッシュナー、フレグランスディフューザー、ゲルエアフレッシュナー、灯心式エアフレッシュナー、リザーバー式エアフレッシュナー、多孔膜式エアフレッシュナー、電気支援送達式エアフレッシュナー（これは、加熱式ドロップ・オン・デマンドエアフレッシュナー、ピエゾ式エアフレッシュナー、ヒーター式エアフレッシュナー、ファン式エアフレッシュナー、およびマイクロ流体装置式エアフレッシュナーなどを含む））；ホームクリーニング製品（例えば、手動および自動食器クリーナー、硬表面クリーナー、洗濯用製品、例えば、洗濯用洗剤、柔軟剤、クリーナー、ドライヤーシートなど）：パーソナルケア製品（例えば、ローション、クリーム、ボディウォッシュ、ハンドソープ、シャンプー、コンディショナー、石鹸、衣料品など）；ベビーケア製品（例えば、成人用失禁用下着、よだれかけ、おむつ、トレーニングパンツ、乳幼児用ケアワイプを含む、使い捨て吸収性および／または非吸収性物品に関連する消費者製品）；布地およびホームケア製品（例えば、布地コンディショニング（柔軟剤を含む）、洗濯洗浄力、洗濯およびリンス添加剤および／またはケア、ドライヤーシート、パフュームビーズ、エアケア、カーケア、食器洗い、硬表面クリーニングおよび／またはトリートメント、および他の消費者およびまたは研究所使用のためのクリーニングなど）；浴室クリーニング製品（例えば、浴槽またはタイルクリーナー、トイレクリーナー、シンククリーナー、消毒薬、抗菌製品、カビクリーナーなど）；サニタリー製品（例えば、タオル、トイレットペーパー、ティッシュペーパー、ウェットティッシュペーパー、ハンカチーフ、ウェットタオルなど）；ファミリーケア製品（例えば、ウェットまたはドライバスティッシュ、フェイシャルティッシュ、使い捨てハンカチーフ、使い捨てタオル、および／またはワイプ、タオル、トイレットペーパー、ティッシュペーパー、ウェットタオルなど）；フェミニンケア製品（例えば、生理用パッド、尿失禁パッド、陰唇間パッド、パンティーライナー、ペッサリー、生理用ナプキン、タンポンおよびタンポンアプリケータ、および／またはワイプなど）；セクシュアルヘルスケア製品（例えば、潤滑剤およびコンドームなどを含む、セクシュアルエイドまたはセクシュアルヘルスに関連する製品）；ペットケア製品（例えば、ペット臭用猫砂、猫用トイレ、ペットデオドライザー；ペットフード、トリート（おやつ）、他の経口送達可能な製品を含む、ペット健康および栄養剤；グルーミングエイド、シャンプー、スタイリング、コンディショニングを含む、ペットヘア／ファーを処理するための製品；脱臭剤および制汗剤；石鹸、クリーム、ローション、および他の局所適用製品を含む、ペットの皮膚をクレンジングまたは処理するための製品；トレーニング用補助具、玩具、および診断技術）；ファインフレグランス（パヒューム／エクストレドパルファム、オードパルファム／ミレジメ／パルファムドトワレ、オードトワレ、オーデコロン、ボディスプラッシュ、アフターシェーブ、ベビーコロンを含むボディミストなどの、パヒュームオイルの含水アルコール溶液を含む）；カーケア製品（例えば、クリーナー、エアフレッシュナー、ワイプ、石鹸など）；化粧品（例えば、スキンクリーム、クレンジングクリーム、ナイトクリーム、ハンドクリーム、ローション、アフターシェーブローション、ボディローション、ファウンデーション、リップスティック、リップクリーム、ネイルポリッシュ、ネイルポリッシュリムーバー、タルカムパウダー、アンチリンクルおよび／またはアンチエイジング化粧品、日焼け止め製品、マッサージオイルなど）；ビューティケア（例えば、シャンプー、スタイリング、コンディショニングを含む、ヒトの毛髪を処理するための製品；脱臭剤および制汗剤；パーソナルクレンジング用の製品；クリーム、ローション、および他の局所適用製品の適用を含む、ヒト皮膚を処理するための製品；シェービング用製品、リンス、リンスインシャンプー；ポマード、ヘアトニック、ヘアジェル、ヘアクリーム、およびヘアムースなどの、ヘアスタイリング剤；育毛剤；染毛剤など）；および入浴剤（例えば、粉末入浴剤、固形発泡入浴剤、バスオイル、バブルバスアロマジェネレーター、バスソルトなど）；除毛製品（例えば、脱毛クリーム、シュガーペーストまたはゲル、ワックスを含む、除毛用の製品）；筆記用製品（例えば、ペン、クレヨン、ペイント、鉛筆、紙、折紙、シールなど）；遊びのための製品（例えば、ボール、ビーンバッグ、カード、コマ、人形、ビルディングブロックなど）；医薬品（例えば、プラスター、軟膏、ローションなど）；着香製品（例えば、菓子、飲料、ガムなど）；医薬品（例えば、プラスター、軟膏、坐剤、タブレット、液剤、カプセル、顆粒、薬理活性分子および／または生物学的実体；それらの用途であって、ヒトおよび／または動物における、疾患の治療および／または予防、および／または症状の緩和における、および、治療および／または予防および／または緩和の必要がある患者にかかる実体を送達するための製剤、レジメン、キット、および／または経路などにおける、該用途）；ヘルスケア製品（例えば、口腔の任意の軟および／または硬組織、又はそれらに関連する症状に使用するための任意の組成物（例えば、練り歯磨き、オーラルウォッシュ、マウスリンス、マウスウォッシュ、磨歯剤、抗口腔組成物、抗プラークチューインガム組成物、ブレス組成物、歯磨き剤、入れ歯用組成物、ロゼンジ、リンス、および歯牙白色化用組成物）を含むオーラルヘルスケア製品、洗浄デバイス、フロスおよびフロッシングデバイスおよび歯ブラシ；鎮咳感冒薬および他の呼吸器症状のための治療薬、局所、内服、または別の方法による鎮痛剤、胸やけ、胃の不調、下痢、および過敏性腸症候群などの胃腸症状を緩和するのに適した任意の組成物を含む胃腸薬、およびカルシウムまたはファイバーサプリメンテーションなどの栄養サプリメントを含む、オーバーザカウンターヘルスケア）；ならびに食品および飲み物または飲料であってよい。
【００６５】
ある実施形態においては、開示された主題は、本明細書に記載されたような消費者製品または消費者製品基剤における、本明細書に記載されたフレグランス組成物および／またはアコードの用途を提供する。
【００６６】
ある実施形態においては、フレグランス組成物および／またはアコードは、表面に細菌または微生物がない状態にしておくという、衛生の認識を刺激する製品の一部として配合される。
【００６７】
ある実施形態においては、フレグランス組成物および／またはアコードは、新鮮さという、硬い食品、グリース、汚れおよび／もしくはほこりの除去という、および／または表面をクリアにおよび／もしくは輝かせておくという、清潔さの認識を刺激する製品の一部として配合される。
【００６８】
ある実施形態においては、フレグランス組成物および／またはアコードは、特定の空間で誇りまたは誇らしさという認識を刺激する製品の一部として配合される。
【００６９】
特定の実施形態においては、主題の開示物は、消費者製品に、衛生の認識を刺激するフレグランスを取り入れる方法に関する。ある実施形態においては、該方法は、ａ）少なくとも１つの消費者製品または消費者製品基剤を提供すること、およびｂ）消費者製品または消費者製品基剤を、少なくとも１つ、２つ、３つ、またはそれより多いアコードを含むフレグランス組成物と組合せることを含む。
【００７０】
消費者において衛生の認識を刺激するべく、消費者製品または消費者製品基剤と混合される組成物の濃度および／または量は、いくつかの変数、例えば、特定の消費者製品、消費者製品の物理的形態（例えば、液体、気体、または固体）、および消費者製品中にどのフレグランス化合物が既に存在するか、ならびにそれらの濃度および／または量、に基づき変化し得る。
【００７１】
広範囲の濃度および／または量のフレグランス組成物および／またはアコードが、消費者において衛生の認識を刺激するべく使用され得る。本開示のある実施形態では、フレグランス組成物および／またはアコードは、消費者製品または消費者製品基剤と混合され、フレグランス組成物は消費者製品または消費者製品基剤中に、製品の形態、例えば、液体、固体、エアロゾル、スプレーなどに基づき、必要に応じた濃度および／または量で存在する。
【００７２】
本開示のある実施形態においては、フレグランス組成物および／またはアコードは、消費者製品と混合され、該組成物は、約０．０００１％から約９９％重量／重量（ｗ／ｗ）まで、または約０．００１％から約７５％ｗ／ｗまで、または約１％から約６０％ｗ／ｗまで、または約５％から約５０％ｗ／ｗまで、または約１０％から約４０％ｗ／ｗまで、および間の値の量で存在する。
【００７３】
ある実施形態においては、非限定的例として、エアフレッシュナー（例えば、膜式または液体電気式）中のフレグランス組成物は、約１００％のフレグランス組成物を含有し得る。かかる例では、本明細書に開示された主題の１つ以上のアコードが、フレグランス組成物の約１００％までを構成し得る。
【００７４】
別の非限定的実施形態では、消費者製品が、例えば、キャンドルまたは濃縮されたエアロゾルである場合、本明細書に開示された主題の１つ以上のアコードは、消費者製品組成物の約１５％未満、または約１０％未満を構成し得る。消費者製品が、例えば、ランドリー、ＡＰＣ、またはパーソナルケア製品である場合、本明細書に開示された主題の１つ以上のアコードは、消費者製品組成物の約１０％未満、または約５％未満を構成し得る。
【００７５】
本開示のある実施形態では、使用中に消費者製品から放出されたフレグランス組成物および／またはアコードの量は、消費者製品と混合された組成物および／またはアコードの全量より少ない。ある実施形態では、消費者製品により放出され、かつそれ故、患者への投与に利用可能な、組成物および／またはアコードの量は、消費者製品と混合されたフレグランス組成物および／またはアコードの量の、約１と１００％の間である。さらなる実施形態においては、放出されたフレグランス組成物および／またはアコードの量は、消費者製品と混合されたフレグランス組成物および／またはアコードの量の、約５と９０％の間、約１０と８０％の間、約２０と７０％の間、約３０と６０％の間、および約４０と５０％の間である。
【００７６】
別に示さない限り、全ての成分または組成物レベルは、当該成分または組成物の有効成分に関するものであり、かつ不純物、例えば、かかる成分または組成物の市販の供給源において存在し得る残留溶媒または副産物を除外したものである。
【００７７】
全てのパーセントおよび割合は、他に示さない限り重量で計算される。全てのパーセントおよび割合は、他に示さない限り全組成物に基づき計算される。
【００７８】
本明細書全体を通して示された全ての最大の数量的限界は、あたかもより低い数量的限界が本明細書に明記されているかのように、かかる全てのより低い数量的限界を含むことが理解されるべきである。本明細書全体を通して示された全ての最小の数量的限界は、あたかもより高い数量的限界が本明細書に明記されているかのように、かかる全てのより高い数量的限界を含むものとする。本明細書全体を通して示された全ての数値範囲は、あたかもより狭い数値範囲が全て本明細書に明記されているかのように、かかるより広い数値範囲内に入る全てのより狭い数値範囲を含むものとする。
【００７９】
４．衛生の認識
本明細書に開示された主題のアコードおよび組成物は、消費者において衛生の認識を刺激するべく充分な量で投与される。
【００８０】
ある実施形態では、心地よさを伴う衛生の認識は、限定されるものではないが、指示された香りを嗅ぐこと（匂い嗅ぎテスト）および一般に認められている業界基準を用いた数値スケールでの評価を含む、会場テスト（ＣＬＴ）、衛生に関連した製品（例えば、台所および／または浴室）の適切な使用の瞬間から引き出される、イメージの認識に対する香りの効果についてのクロスモーダルテスト（Ｃｒｏｓｓ  Ｍｏｄａｌ  Ｔｅｓｔｓ）、およびホームユーステスト（ＨＵＴ）を含む、様々な消費者試験法により測定される。様々な考慮されかつ自覚した認識または感覚が、これに関連して質問され得る。ある実施形態では、対照またはブランクは、試験試料の投与の前または後に使用される。陰性対照の非限定的例は、空気またはブランクおよび任意のフレグランスの不在を包含する。陽性対照の非限定的例は、ほぼ普遍的に衛生と関連をもつが、しかし唯一の、識別可能な、強烈な、比較的心地よくない、またはそれらのいくつかの組合せである広く利用可能な天然の香りを包含する。ある実施形態においては、ＣＬＴは、各消費者が１セット数のアコードまたは完成したフレグランスの匂いを嗅ぐこと、および次にフレグランスを評価することを含む。ある実施形態では、フレグランスのアコードの順序は、消費者ごとにローテーションされてもよい。例えば、消費者は、試料の匂いを嗅ぎ、そして次に、ある特徴、すなわち衛生を、試料に関連して認識したかどうかを記述する。１つ以上の対照試料が試験試料のローテーションに含まれていてもよい。ある実施形態では、消費者は女性の世帯主であり、家では家事を担当する。
【００８１】
別の実施形態では、衛生の認識は、ホームユーステスト（ＨＵＴ）により、一般に認められている業界基準を用いて測定される。ある実施形態では、ホームユーステストは、消費者の、考慮されたかまたは全体的に合計された好み／心地よさの彼らの認識、ならびに試験された消費者製品を将来購入する全体的な見込みを、前記全体的な認識について考慮されかつ自覚した理由とともに示すものであり、それは、消費者自身の家における試験製品の使用の回想に基づき評価されたような、清浄化および衛生の認識を含み得る。１つ以上の対照試料が試験の全体的なデザインに含まれていてもよい。ある実施形態では、消費者は世帯主であり、家では家事を担当する。
【００８２】
ある別の実施形態においては、衛生の認識は、クロスモーダル試験によって測定され、該テストは全般的に、Ｋｎｏｅｆｅｒｌｅら、Ｐｓｙｃｈｏｌｏｇｙ  ａｎｄ  Ｍａｒｋｅｔｉｎｇ、２０１５年、第３２巻、ｐ．１０７−１２０に記載されており、その開示は参考により本明細書に包含する。具体的には、衛生の認識は、嗅覚および視覚などの２つ以上の感覚様式全体で迅速に形成された判定および前意識または潜在意識的印象を捉える、間接的な手段により測定される。これらの方法では、消費者は製品またはフレグランスを香りとして直接的に評価することを求められない。例えば、消費者は、関連する消費者の家庭状況のイメージを一次刺激として判断する（すなわち、浴室、台所、寝室など）。消費者は次に、吸入に対し時間制限を設けて矢継ぎ早に続く一連の香りに暴露される。消費者は、連続した香りのそれぞれの間か、もしくは対象となっている香りとして、またはそれらの双方で、対照またはブランクに対し暴露され得る。特定の香りへの暴露に際し、消費者は様々な属性について、イメージを数値スケールでスコアする。消費者の視覚的な認識に対する香りまたはフレグランスの効果が調べられる。
【００８３】
クロスモーダル試験に比較した場合、注目されることは、ＣＬＴおよびＨＵＴ試験との間の重要な区別の１つが、全体的な好み、心地よさ、および将来の購入見込み、または購入意思が一般にＣＬＴおよびＨＵＴにおいて評価されることである。しかしながら、これらは、クロスモーダル実験の最後に加えられない限り、クロスモーダル試験では評価されない。購入を意図した反応は、形成するのに相当な時間および認知を要するのに対し、衛生の認識は、ほぼ直ちに形成されかつ時間とともに連続的に進化し得る。心地よいフレグランスについては、従来のＣＬＴまたはＨＵＴでは、ある製品について高いスコアの全体的な購買意思を示す消費者が、その後に別の特定の属性について尋ねられたとき、この方法で反応し続けることに意味があるという理由で、あるいはその瞬間によりよい気分になっているという理由で、そうした高いスコアを維持する傾向があることが周知されている（すなわち、私はこのディッシュソープが好きだと言った、だから私は本当にそれが洗浄、殺菌その他において良い仕事をしたと言うべきである）。これらの効果は、「快楽後光（ｈｅｄｏｎｉｃ  ｈａｌｏｉｎｇ）」または「確証バイアス」として知られている。クロスモーダルは、衛生の認識が単に消費者側の事後正当化または後光効果（ｈａｌｏｉｎｇ）に起因するものではないというさらなる支持を与える。
【実施例】
【００８４】
本明細書に開示された主題は、本開示を代表するものとしてであって限定されるものとしてではなく提供された、以下の実施例を参照することにより、さらによく理解されるであろう。
【００８５】
実施例１：衛生フレグランス組成物およびアコードＡ−Ｄ
実施例１は、本明細書に開示された主題によるフレグランス組成物を提供する。
【００８６】
【表１】
2018524457.tif 000003
【００８７】
上記の衛生組成物は、消費者製品中に使用した場合、衛生の認識を提供する。
【００８８】
衛生組成物はさらに研究され、少なくとも４つの別々のアコード（アコードＡ−Ｄ）が衛生組成物から処方可能なことが発見された。これらのアコードを表２に記載する。
【００８９】
【表２】
2018524457.tif 000004
【００９０】
アコードはまた、単独で、および／または消費者製品と組合せて使用して、消費者において衛生の認識を提供してもよい。
【００９１】
実施例２：衛生フレグランスの配合
実施例２は、実施例１に記載されたようなアコードＡ−Ｄのそれぞれと、追加のフレグランス（フレグランスＦ）とを含む、フレグランス組成物（フレグランス１−６）の組成を提供する。追加のフレグランスは、フローラル−グリーン−フルーツ系アコードとして記載できる。
【００９２】
組成物は、表３に記載されたように配合される。
【００９３】
【表３】
2018524457.tif 000005
【００９４】
実施例３：衛生フレグランスを含有する消費者製品
実施例３は、衛生フレグランスを含有する消費者製品の非限定的な配合例を提供する。実施例１の衛生組成物、または実施例１の１つ以上のアコードを使用して、以下の表の衛生組成物を生成できる。
【００９５】
表４は、硬表面クリーナーポンプスプレー用の配合を示す。適当な容器内で、種々の成分を均一かつ透明になるまで完全に混合する。常に攪拌しながら、透明な溶液に水を徐々に添加する。水の後、攪拌しながら防腐剤を添加する。配合物を次に適当な容器内に充填できる。
【００９６】
【表４】
2018524457.tif 000006
【００９７】
表５は、水ベースのエアロゾルエアフレッシュナー用の配合を示す。この製品は、３段階の充填と見なされる。混合は、エアロゾル製剤が容器内で完成するまで完了しない。適当な容器内で、ウィトコノール（Ｗｉｔｃｏｎｏｌ）およびフレグランスを完全に均一および透明になるまで混合する。別に、亜硝酸ナトリウムを水中に溶解する。配合物を次にエアロゾル缶に、別々の相として充填する。フレグランス相を最初に充填する。水相を２番目に充填する。次いで缶をクリンプし、バルブを通して潤滑剤を加圧充填する。次に缶を振とうして、Ｗ／Ｏエマルジョンを完成させる。この配合はエアロゾルエアフレッシュナー用の３０％ＶＯＣというＶＯＣ基準を満たす。缶は、エポキシ樹脂で裏打ちされたブリキ缶とするべきである。この製品に使用するバルブは、水ベースのファインスプレー用に指定されかつべーパータップを備えたものでなければならない。多くの適した組合せがあるが、．０５０キャピラリーディップチューブと．０１３べーパータップとを備えた．０１８ステムが許容される。．０１８オリフィスまたはスプレースルーオーバーキャップを備えたメカニカルブレークアップアクチュエーターが、許容されるスプレーを提供するであろう。
【００９８】
【表５】
2018524457.tif 000007
【００９９】
表６は、液体洗濯洗剤用の配合を示す。水を６５℃に加熱する。グルコポン（Ｇｌｕｃｏｐｏｎ）を添加し、透明になるまで中速で混合する。スタンダポール（Ｓｔａｎｄａｐｏｌ）を添加して、透明かつ均一になるまで混合する。混合物を加熱器具からおろし、残りの成分を順に添加し、添加の都度低中速で混合する。硫酸溶液を用いてｐＨを８．０から８．５に調整する。粘度は、塩化ナトリウムを用いて調整する。
【０１００】
【表６】
2018524457.tif 000008
【０１０１】
表７は、布地脱臭剤用の配合を示す。適当な容器内で、アルコールＳＤ−４０Ｂ、テルギトール（Ｔｅｒｇｉｔｏｌ）、ＤＰＧ、ＰＧ、およびフレグランスを、完全に均一で透明になるまで混合する。常に攪拌しながら、溶液に水を徐々に添加する。攪拌しながらカトン（Ｋａｔｈｏｎ）を添加する。最終的な配合物は透明でなければならない。次いで配合物を、適切なトリガーまたはポンプクロージャーを備えた適当なプラスチック容器（ＰＥＴが好ましい）内に充填する。
【０１０２】
【表７】
2018524457.tif 000009
【０１０３】
表８は、透明液体ハンドソープ用の配合を示す。脱イオン水を６５℃に加熱し、メチルパラベンを徐々に添加し、オーバーヘッドミキサーを用いて、完全に溶液かつ透明になるまで中／高速で一緒に混合する（Ｓｅｑ．＃１）。Ｓｅｑ．＃２を低速でＳｅｑ．＃１に完全に透明になるまで添加する。Ｓｅｑ．＃３を添加順に、加熱なしでバッチに添加し、低速で攪拌しながら３５℃に冷却する。Ｓｅｑ．＃４を透明になるまで予め混合し、バッチに添加する。Ｓｅｑ．＃５を、低速攪拌で、２５℃に冷却しながらバッチに添加する。Ｓｅｑ．＃６を添加して、バッチを所望のｐＨに調整する。生成物を、いかなる追加の空気も除去するため、瓶の側面上に非常にゆっくりと注入して瓶詰にする。
【０１０４】
【表８】
2018524457.tif 000010
【０１０５】
表９は、自動食器洗い洗剤用の配合を示す。適当な容器内で、ＴＫＰＰおよびＫａｓｉｌ１を均一になるまで水中に溶解する。残りの成分を、示した順序で常に攪拌しながら徐々に添加する。配合物は透明な液体でなければならない。
【０１０６】
【表９】
2018524457.tif 000011
【０１０７】
洗剤の外観は、透明な液体である。ｐＨは、１２．０である。洗剤は低粘度を有しており、２−４  ｏｚ／ｇａｌの濃度で食器洗い機に使用できる。
【０１０８】
実施例４：写真を用いた着臭剤の試験
実施例４は、本明細書に開示された主題の組成物を試験する、クロスモーダル研究からの結果を示す。
【０１０９】
２１から５５歳の範囲の３０名の女性参加者が、この研究に含まれた。参加者はまた、彼女らの家の主なディッシュウォッシャーでもあった。各参加者は、様々な家庭用台所の写真を示され、そして各参加者は素早く一連の香り（空気により分離された）に暴露された。特定のイメージ−香りの組合せへの暴露に際し、参加者は種々の衛生に関連した属性について、９ポイントスケールで写真を評価した。
【０１１０】
５つの試験用の香り（＃１−＃５）があった。香り１は、フゼア系フレグランスをもつ衛生組成物であった。香り２は、シトラス系フレグランスをもつ衛生組成物であった。香り３は、シトラスグリーン系フレグランスをもつ衛生組成物であった。香り４は、レモン油対照フレグランスであった。香り５は、単なる空気であった。各イメージおよび香りの組合せについて評価された、衛生に関連した３つの認識された属性：除菌、殺菌、および清潔、があった。スコアの結果を図１−３に示す。
【０１１１】
クロスモーダル試験の終わりに、参加者は次いで、それぞれの香りの快楽性、強烈さ、および清潔さについての彼女らの印象に基づき、同じスケールで香りについて直接評価しかつ自己報告するよう求められた。自己報告の結果を図４−６に示す。
【０１１２】
結果は、香り２が全ての属性について最高のスコアを得たことを示した。香り３は、最高の全体的な自己報告スコアを得た。認識された殺菌評価は、認識された除菌よりも低かった。
【０１１３】
実施例５：様々な属性に対する香りの影響
実施例５は、様々な特定の香りがどのようにして様々な測定可能な衛生関連属性に影響を及ぼすかを、クロスモーダル試験によって証明する。参加者は、家庭用台所および家庭用浴室の写真を示された（浴室表面およびトイレを含む）。参加者は、様々な香りに暴露され、そして属性を数値スケールで評価するよう求められた。様々な香りとは、フローラル、シトラス、アロマティック、フゼア、ローズマリー、および対照の空気であった。測定された様々な属性とは、衛生、清潔、および誇らしい／快い（友人を招待するのに）であった。
【０１１４】
評価の結果を図７Ａ−７Ｃに示す。データは、衛生の判定における差異が嗅覚の傾向にあることを示している。フローラル傾向は、ローズマリーおよび空気に比較して、全ての部屋の衛生の認識を強化した。シトラス傾向は、全ての部屋において空気に比較して衛生の認識を強化した。複雑な誇らしい／快い局面については、差異が得られた。フローラル傾向は、ローズマリーおよびフゼアに比較して、全ての部屋の誇らしい局面の認識を強化した。他の傾向および空気は、ローズマリーに比較して、全ての部屋の衛生の認識を強化した。
【０１１５】
実施例６；様々な属性に対する香りの影響
実施例６は、実験の期間にマイナーな修正をし、香り全体にわたり強さおよび強烈さ認識のバランスをさらにとって、実施例５の研究を繰返したものである。参加者は家庭用台所および家庭用浴室（浴室表面およびトイレを含む）の写真を示された。実施例５と同じ香り物質を使用した。
【０１１６】
結果を図８Ａ−８Ｆに示す。図８Ａでは、データは、衛生の変数に対する香り物質の非常に強い影響を示している。重要な差異は、フゼア系の香りが衛生の認識に最大の影響を与えたことである。他の香り物質は、香りなしに比較して衛生の局面を改善した。図８Ｂでは、データは、清潔さの局面に対する香り物質の良好な効果を示した。図８Ｃでは、データは、誇らしい変数に対する香り物質の同様な強い効果を示した。フゼア系の香りは、タイム、シトラス、およびブランクの空気試料に比較して、衛生の認識を改善した。他の香り物質は、ブランクの空気に比較して、衛生の局面を改善した。図８Ｄ−８Ｆは、実験の終わりにおける快楽、衛生、および強さについての、香りの直接評価を示す。
【０１１７】
実施例７：写真を用いた香り物質の試験
実施例７は、実施例４のテストパラメータに従うクロスモーダル試験である。各参加者は、家庭用台所の様々な写真を示された。結果は図９Ａ−９Ｆに示される。図９Ａでは、データは、認識された除菌についての結果を示す。図９Ｂでは、データは、認識された殺菌について全体的により低いスコアを示した。香り物質３および４は、認識された殺菌についてより高いスコアを示した。図９Ｃでは、データは、香り物質３および４が認識された清潔さについて傾向的に高かったことを示した。図９Ｄ−９Ｆは、快楽、衛生、および強さに基づく、香り物質の直接評価を示す。
【０１１８】
実施例８：写真を用いた香り物質の試験
実施例８は、本明細書に開示された主題の組成物を試験したクロスモーダル試験からの結果を示す。
【０１１９】
２５から５４歳の範囲の３９名の女性参加者が、この研究に含まれた。参加者はまた、彼女らの家の主なディッシュウォッシャーでもあった。各参加者は、様々な家庭用台所の写真を示され、そして各参加者は素早く一連の香り（空気により分離された）に暴露された。特定のイメージ−香りの組合せへの暴露に際し、参加者は様々な衛生関連属性について、９ポイントスケールで写真をスコアした。参加者の過去６か月にわたるクレンジングブランド使用履歴を図１０に示す。
【０１２０】
３つの試験用の香り（＃１−＃３）があった。香り１は、シトラスグリーン系フレグランスをもつ衛生組成物であった。香り２は、レモン油対照フレグランスであった。香り３は、単なる空気であった（対照ブランク）。
【０１２１】
衛生に関連した３つの認識された属性：除菌、殺菌、および清潔、があった。スコアリングの結果を図１１−１３に示す。クロスモーダル試験の終わりに、参加者は次に再び香りを嗅ぎ、それぞれの香りの快楽性、強烈さ、および清潔さについての彼女らの印象を、同じスケールで自己報告するよう求められた。自己報告の結果を図１４−１６に示す。参加者のクレンジングブランド使用履歴およびクレンジングフレグランス使用履歴による、認識された殺菌の評価を図１８に示す。それぞれの台所のイメージについて認識された殺菌の評価を図１８に示す。
【０１２２】
結果は、香り１および香り２が同様なスコアを得たことを示し、それらはすべての属性にわたり空気よりも高かった。認識された殺菌の評価は、認識された除菌よりも低かった。以前のブランド使用履歴は、属性評価の結果に影響を及ぼす。
【０１２３】
実施例９：消費者試験
実施例９は、本明細書に開示された主題の組成物に関する結果を提供する香りの会場テスト（ＣＬＴ）研究である。特にこの研究は、暗示する効果および衛生について、最も責任のあるフレグランスの部分を同定するためのものであった。
【０１２４】
１８から５５歳の範囲の６０名の女性参加者が、この研究に含まれた。参加者はまた、彼女らの家の主なディッシュウォッシャーでもあった。各参加者は、彼女らの食器洗い製品の選択において、「抗菌性」が最も重要な品質であることを申告した。使用者の半分は、過去６か月にわたりブランド製品Ａを最も頻繁に使用し、他の半分は、過去６か月にわたりブランド製品Ｂを最も使用した。各参加者は、４つの香りのアコード（無作為化された）および異なる量の香りのアコードをもつ６つの完成した製品（無作為化された）が提示された。それぞれの特定の香りの暴露および指示されて匂いを嗅ぐ際に、参加者は各香りについて、それが特定の属性またはフレグランスを具現化したかどうかについて一連のスコアを自己報告した。参加者はまた、いくつかの属性について９ポイントのスケールで香気をスコアした。
【０１２５】
１０の香り（＃１−＃１０）があった。香り１は、アコードＡ（シトラスグリーンフレグランス）であり、香り２は、アコードＢ（フローラルフレグランス）であり、香り３は、アコードＣ（ハーブ系グリーンリバランスフレグランス）であり、香り４は、アコードＤ（フローラルアルデヒドリバランスフレグランス）であり、香り５は、対照の香りをもつフローラルフレグランスであった。香り６は、アコードＡを６：４の割合でもつフローラルフレグランスであった。香り７は、高レベルでアコードＡをもつフローラルフレグランスであった。香り８は、アコードＢを８：２の割合でもつフローラルフレグランスであった。香り９は、アコードＣを７：３の割合でもつフローラルフレグランスであった。香り１０は、アコードＤを６：４の割合でもつフローラルフレグランスであった。
【０１２６】
評価された、５つの認識された属性：全体的な衛生、除菌、殺菌、ハンドディッシュソープのための適性、および認識された強さ、があった。スコアの結果を図１９−２５に示す。参加者は次に、香りが特定のフレグランスを含有していたかどうかを報告するよう求められた。認識されたフレグランスの結果を表１１に示す（数値はパーセント）。参加者はまた、香りが特定の機能性の属性を具現化したかどうかも報告するよう求められた。認識された機能性の属性の結果を表１２に示す（数値はパーセント）。
【０１２７】
【表１０】
2018524457.tif 000012
【０１２８】
【表１１】
2018524457.tif 000013
【０１２９】
アコードＡ、Ｃ、およびＤは、有効であるための高い可能性を示した。これらのアコードは、様々な嗅覚ファミリーから完成されたフレグランスを改善できる。
【０１３０】
フレグランスプラスアコード対対照についての属性の増分は、衛生および機能性の利益に関する方が、それらの快楽または他の属性に関してのものよりも大きかった；このことは、アコードがこれらの利益を駆り立てていたことを示唆する。
【０１３１】
任意のアコード（特にアコードＡおよびＣ）の添加は、機能性の認識を同程度に改善した。アコードＡ（シトラスグリーン成分）およびアコードＣ（リバランスされたハーバルグリーンシトラス成分）は、衛生の利益を暗示することについて最大の見込みを示した（アコードＤの快楽は、試験したフローラルフレグランスと充分に合致したが）。アコードＡは、使用者群全体にわたり、最も全体的に利益を駆り立てる一方で、快楽ももたらすように見えた。
【０１３２】
結果は、ブランド使用が殺菌または除菌の認識には何ら有意な効果を持たなかったことを示した；しかしながら、この群にはいくらか異なる快楽の好みがある。
【０１３３】
実施例１０：既存のパヒュームを用いた消費者試験
実施例１０は、本明細書に開示された主題の組成物を既存のパヒュームと組合せて試験した、クロスモーダル試験からの結果を示す。この実施例では、衛生組成物をフローラルフレグランスと組合せて使用し、それを、この実施例および添付の図面では「フレグランスＡ」と称する。
【０１３４】
２５から５４歳の範囲の３９名の女性参加者が、この研究に含まれた。参加者は、彼女らの家の主なディッシュウォッシャーであり、毎週少なくとも５回彼女らの手を洗って報告した。各参加者は、彼女らの製品の選択において、「抗菌性」が「非常に重要である」または「いくらか重要である」ことを申告した。３９名の参加者のうち１９名が、フレグランスＡ食器洗い製品を最も頻繁に使用した。残りの２０名の参加者は、フレグランスＢ食器洗い製品を最も頻繁に使用した。さらに、各参加者は、「オリジナルクリーン」、「緑茶」、および「レモン」の中から、好ましい食器洗い製品の香気を選ぶよう求められた。データセット用の好みの情報は、表１３に要約される。
【０１３５】
【表１２】
2018524457.tif 000014
【０１３６】
参加者は、クロスモーダル試験において、製品を０から１００まででスコアした。各参加者は、香りごとに１８のイメージを見ながら、香り１−５のそれぞれに暴露された。香り１は、陰性対照（空気）であり、香り２は、陽性対照（レモン油）であった。香り３は、衛生組成物であった。香り４は、フレグランスＡであった。香り５は、６；４の割合で衛生組成物と組合せたフレグランスＡであった。衛生組成物は、表２のアコードＡの組成を有していた。
【０１３７】
３つの認識された属性：除菌、殺菌、および清潔、が評価された。レモン油は陽性対照として使用されたため、データは、「非レモン」使用者（すなわち、組合された「オリジナルクリーン」および「緑茶」使用者）と「レモン」使用者によって分離された。非レモン使用者に比較して、レモン使用者は異なる認識プロフィールを有することが見いだされた。結果は、分散分析（ＡＮＯＶＡ）Ｆ、ｐ＜０．００１（香り、イメージ、判定、香り＊イメージ、香り＊判定、判定＊イメージ）を用いて分析した。非レモン使用者（ｎ＝５６０、参加者２９名および香りあたり１８イメージに基づく）についてのクロスモーダル試験の結果を、図２６−２８に示す。香りのｐ値は、図２６では０．１６であり、図２７では０．２９であり、図２８では０．２０である。レモン使用者の結果（ｎ＝１８０、参加者１０名および香り当たり１８イメージに基づく）を図２９−３１に示す。香りのｐ値は、図２９では０．０５であり、図３０では０．１１であり、図３１では０．１７である。最小二乗平均を図２６−３１に報告する。
【０１３８】
非レモン使用者は、香り３（衛生組成物単独）および香り５（衛生組成物と組合せたフレグランスＡ）を認識して、双方の対照（香り１および２）およびフレグランスＡ単独（香り４）に比較して除菌、殺菌、および清潔が改善された。特に除菌の認識については、非レモン使用者は香り３を香り４よりも有意に高く（９５％の信頼度で）、香り２よりも傾向的に高く（９０％の信頼度で）スコアした（図２６）。除菌については、香り５は、香り４よりも傾向的に高く（８０％信頼度で）スコアされた（図２６）。清潔の認識については、非レモン使用者は、香り３を香り４よりも有意に高く（９５％の信頼度で）、また香り５を香り４よりも傾向的に高く（８０％信頼度で）スコアした（図２８）。したがって、衛生組成物を既存の製品中に取入れて、衛生の認識を強化できる。
【０１３９】
レモン使用者は全般的に、香り２（レモン油対照）および香り４（フレグランスＡ単独）をより衛生的であると認識した。例えば、除菌の認識では、レモン使用者は香り２および４の双方を、香り３および５よりも有意に高く（９５％の信頼度で）スコアした（図２９）。殺菌の認識では、レモン使用者は香り２を香り１よりも有意に高く、また香り３および５よりも傾向的に高く（９０％の信頼度で）スコアした（図３０）。清潔の認識では、レモン使用者は香り２および４を、香り３および５よりも傾向的に高く（９０％の信頼度で）スコアした（図３１）。
【０１４０】
さらに、クロスモーダル試験の終わりに、各参加者は、各香りの衛生および清潔さについての印象を、各香りの直接評価に基づき、同じスケールでスコアするよう求められた。結果を、香りの主要な効果について、一元配置分散分析（Ｏｎｅ  Ｗａｙ  ＡＮＯＶＡ）を用いて、ｐ値＜０．０１で分析した。非レモン使用者（ｎ＝２９）についてのこれらの結果を、図３２および３４に、またレモン使用者（ｎ＝１０）についてのこれらの結果を、図３４および３５に示す。
【０１４１】
非レモン使用者は、衛生組成物（香り３）が空気（香り１）に比較して強化された清潔さをもつと報告した。例えば、清潔さの直接評価では、非レモン使用者は香り２及び３の双方を香り１よりも有意に高く（９５％の信頼度で）スコアした（図３２）。同様に、快楽の直接評価では、香り３は、香り１よりも有意に高く（９５％の信頼度で）評価された（図３３）。したがって、衛生組成物は、直接評価に基づき、衛生の認識を強化することが見いだされた。加えて、非レモン使用者は香り５を、フレグランスＡ（香り４）に比較してわずかに増大された快楽を持つと報告した（図３３）。このデータは衛生組成物が、製品の全体的な好みを低減することなく、消費者製品中に取入れられ得ることを示している。
【０１４２】
レモン使用者は香り５を、クロスモーダル試験において衛生が低減されたと認識したが、レモン使用者は香り５を全般的にポジティブに直接評価した。例えば、レモン使用者は、香り５を、フレグランスＡ単独（香り４）および空気（香り１）に比較して強化された清潔さをもち、かつレモン油とほぼ同じ清潔さを持つと報告した。レモン使用者は、香り２、３、および５を、香り１よりも有意に高く（９５％の信頼度で）スコアした（図３４）。快楽の認識では、レモン使用者はまた、香り２、３、および５を、香り１よりも有意に高く（９５％の信頼度で）スコアした。重要なことには、レモン使用者は香り５をフレグランスＡ（香り４）および空気（香り１）よりも大きい快楽をもつと報告しており、レモン使用者が全般的にフレグランスＡ単独よりも香り５を好むことを示している。したがって、使用者の認識次第で、消費者製品中に取入れられる衛生組成物が、実際に製品の全体的な経験を改善できる。
【０１４３】
本明細書に開示された主題およびその利益を詳細に記載してきたが、これにおいて、種々の変化、置き換え、および変更が、添付の特許請求の範囲により定義された本出願の精神および範囲から離れることなく行われ得ることが理解されるべきである。さらに、本出願の範囲は、本明細書に記載されたプロセス、機械、製造、材料の組成、手段、方法、および工程の、特定の実施態様に限定されることを意図したものではない。当業者には本明細書に開示された主題の開示から容易に理解されるように、本明細書に記載された対応する実施形態と実質的に同じ機能を果たすかまたは実質的に同じ結果を出す、既存のまたは後に開発されるべき、プロセス、機械、製造、材料の組成、手段、方法、または工程は、本明細書に開示された主題に従って利用され得る。したがって、添付の特許請求の範囲は、かかるプロセス、機械、製造、材料の組成、手段、方法、または工程を、その範囲内に含むことが意図されている。
【０１４４】
特許、特許出願公開製品記載、およびプロトコールが、本出願全体を通して引用されており、それらの開示は、参照によりその記載全体があらゆる目的で本明細書に援用される。
【図１】
2018524457.tif 000015
【図２】
2018524457.tif 000016
【図３】
2018524457.tif 000017
【図４】
2018524457.tif 000018
【図５】
2018524457.tif 000019
【図６】
2018524457.tif 000020
【図７Ａ】
2018524457.tif 000021
【図７Ｂ】
2018524457.tif 000022
【図７Ｃ】
2018524457.tif 000023
【図８Ａ】
2018524457.tif 000024
【図８Ｂ】
2018524457.tif 000025
【図８Ｃ】
2018524457.tif 000026
【図８Ｄ】
2018524457.tif 000027
【図８Ｅ】
2018524457.tif 000028
【図８Ｆ】
2018524457.tif 000029
【図９Ａ】
2018524457.tif 000030
【図９Ｂ】
2018524457.tif 000031
【図９Ｃ】
2018524457.tif 000032
【図９Ｄ】
2018524457.tif 000033
【図９Ｅ】
2018524457.tif 000034
【図９Ｆ】
2018524457.tif 000035
【図１０】
2018524457.tif 000036
【図１１】
2018524457.tif 000037
【図１２】
2018524457.tif 000038
【図１３】
2018524457.tif 000039
【図１４】
2018524457.tif 000040
【図１５】
2018524457.tif 000041
【図１６】
2018524457.tif 000042
【図１７】
2018524457.tif 000043
【図１８】
2018524457.tif 000044
【図１９】
2018524457.tif 000045
【図２０】
2018524457.tif 000046
【図２１】
2018524457.tif 000047
【図２２】
2018524457.tif 000048
【図２３】
2018524457.tif 000049
【図２４】
2018524457.tif 000050
【図２５】
2018524457.tif 000051
【図２６】
2018524457.tif 000052
【図２７】
2018524457.tif 000053
【図２８】
2018524457.tif 000054
【図２９】
2018524457.tif 000055
【図３０】
2018524457.tif 000056
【図３１】
2018524457.tif 000057
【図３２】
2018524457.tif 000058
【図３３】
2018524457.tif 000059
【図３４】
2018524457.tif 000060
【図３５】
2018524457.tif 000061
【国際調査報告】
2018524457.tif 000062
2018524457.tif 000063
2018524457.tif 000064
2018524457.tif 000065
2018524457.tif 000066